(57)【要約】  ワイヤレス通信のための方法、システム、およびデバイスについて説明する。ユーザ機器(UE)における方法が、キャリアアグリゲーション(CA)構成(ULおよびダウンリンク(DL)データ送信用に構成されたキャリアを有する)および補助アップリンク(UL)構成(UL基準信号送信用に構成されたキャリアを有する)を示すシグナリングを受信するステップを含む。方法はまた、CA構成のDLキャリア上でリソース割当てを受信するステップと、受信されたリソース割当てに少なくとも部分的に基づいて、補助UL構成の1つまたは複数のキャリアを使用して非周期サウンディング基準信号(A-SRS)を送信するステップとを含む。別の方法が、CA構成およびA-SRS構成を有するUEによって実施され、この方法は、CA構成におけるDLキャリア上でリソース割当てを受信するステップと、A-SRSを送信するためのトリガを検出するステップと、A-SRSを送信するためのA-SRS構成のULリソースを決定するステップと、決定されたULリソース上でA-SRSを送信するステップとを含む。
2019516278.tif 000002
【特許請求の範囲】
【請求項１】
ユーザ機器(UE)によって実施されるワイヤレス通信の方法であって、
前記UEのキャリアアグリゲーション(CA)構成および非周期サウンディング基準信号(A-SRS)構成を識別するステップであって、前記A-SRS構成は、前記UEがアップリンク(UL)データ送信をその上では実施しない1つまたは複数のコンポーネントキャリア(CC)を備える、ステップと、
前記CA構成におけるダウンリンク(DL)CC上でリソース割当てを受信するステップと、
前記リソース割当てのダウンリンク制御情報(DCI)フォーマットに少なくとも部分的に基づいて、1つまたは複数のA-SRS送信を送信するためのトリガを検出するステップと、
前記リソース割当ての前記DCIフォーマットに少なくとも部分的に基づいて、前記1つまたは複数のA-SRS送信を送信するための、前記A-SRS構成の1つまたは複数のCCを決定するステップと、
前記A-SRS構成の前記1つまたは複数の決定されたCC上で、前記1つまたは複数のA-SRS送信を送信するステップとを含む方法。
【請求項２】
前記A-SRS構成の前記CCのうちの1つまたは複数は、1つまたは複数の補助UL CCを備え、前記1つまたは複数の補助UL CCは、UL基準信号送信用に構成され、ULデータ送信用には構成されない、請求項1に記載の方法。
【請求項３】
前記リソース割当てを受信するステップは、
A-SRS送信機電力制御(TPC)コマンドを示す、前記DCIフォーマットのフィールド中の電力制御情報を識別するステップを含み、前記1つまたは複数のA-SRS送信は、前記電力制御情報に少なくとも部分的に基づく送信電力を使用して送信される、請求項2に記載の方法。
【請求項４】
前記DCIフォーマットに従って構成された前記リソース割当ての複数のビットに少なくとも部分的に基づいて、前記A-SRS構成の前記1つまたは複数のCCを識別するステップをさらに含む、請求項1に記載の方法。
【請求項５】
前記リソース割当てはサウンディング基準信号無線ネットワーク一時識別子(SRS-RNTI)を含み、前記SRS-RNTIは、前記A-SRS構成の複数のULリソース中での複数のA-SRS送信をトリガする、請求項1に記載の方法。
【請求項６】
前記1つまたは複数のA-SRS送信と同時に送信されるべき追加アップリンク送信を識別するステップと、
優先順位付けに少なくとも部分的に基づいて、前記追加アップリンク送信それとも前記1つまたは複数のA-SRS送信、それとも両方を送信するかを決定するステップとをさらに含む、請求項1に記載の方法。
【請求項７】
前記1つまたは複数のA-SRS送信を送信するステップは、前記優先順位付けに従って前記1つまたは複数のA-SRS送信を送信すると決定したことに少なくとも部分的に基づく、請求項6に記載の方法。
【請求項８】
前記1つまたは複数のA-SRS送信と同時に送信されるべき追加アップリンク送信を識別するステップと、
前記追加アップリンク送信ではなく、前記1つまたは複数のA-SRS送信を送信するステップであって、前記追加アップリンク送信は、前記CA構成の1つまたは複数のコンポーネントキャリア上での物理アップリンク共有チャネル(PUSCH)送信を含む、ステップとをさらに含む、請求項1に記載の方法。
【請求項９】
前記CA構成のDLキャリアと、前記A-SRS構成の前記1つまたは複数のCCのうちの1つは、周波数リソースを共有する、請求項1に記載の方法。
【請求項１０】
基地局によって実施されるワイヤレス通信の方法であって、
1つまたは複数のユーザ機器(UE)のキャリアアグリゲーション(CA)構成および非周期サウンディング基準信号(A-SRS)構成を識別するステップであって、前記A-SRS構成は、前記1つまたは複数のUEがアップリンク(UL)データ送信をその上では実施しない1つまたは複数のコンポーネントキャリア(CC)を備える、ステップと、
前記CA構成におけるダウンリンク(DL)CC上でリソース割当てを送信するステップであって、前記リソース割当ては、1つまたは複数のUEが、前記リソース割当てのダウンリンク制御情報(DCI)フォーマットに少なくとも部分的に基づいて、1つまたは複数のA-SRS送信を送信するためのトリガを含み、前記1つまたは複数のA-SRS送信を送信するための前記A-SRS構成の1つまたは複数のCCが、前記リソース割当ての前記DCIフォーマットに少なくとも部分的に基づいて識別される、ステップと、
前記DCIフォーマットによって識別されるCC上で、前記1つまたは複数のUEからA-SRS送信を受信するステップとを含む方法。
【請求項１１】
前記A-SRS構成の前記1つまたは複数のCCは、1つまたは複数の補助UL CCを備え、前記1つまたは複数の補助UL CCは、UL基準信号送信用に構成され、ULデータ送信用には構成されない、請求項10に記載の方法。
【請求項１２】
前記A-SRS構成の前記1つまたは複数のCCは、前記DCIフォーマットに従って構成された前記リソース割当ての複数のビットに少なくとも部分的に基づいて識別される、請求項10に記載の方法。
【請求項１３】
A-SRS送信機電力制御(TPC)コマンドを示す電力制御情報を前記DCIフォーマットのフィールド中で送信するステップをさらに含む、請求項11に記載の方法。
【請求項１４】
前記リソース割当てはサウンディング基準信号無線ネットワーク一時識別子(SRS-RNTI)を含み、前記SRS-RNTIは、前記A-SRS構成の複数のULリソース中での複数のA-SRS送信をトリガする、請求項10に記載の方法。
【請求項１５】
前記CA構成のDLキャリアと、前記A-SRS構成の前記1つまたは複数のCCのうちの1つは、周波数リソースを共有する、請求項10に記載の方法。
【請求項１６】
ワイヤレス通信のためのモバイルデバイスであって、
前記モバイルデバイスのキャリアアグリゲーション(CA)構成および非周期サウンディング基準信号(A-SRS)構成を識別するための手段であって、前記A-SRS構成は、前記モバイルデバイスがアップリンク(UL)データ送信をその上では実施しない1つまたは複数のコンポーネントキャリア(CC)を備える、手段と、
前記CA構成におけるダウンリンク(DL)CC上でリソース割当てを受信するための手段と、
前記リソース割当てのダウンリンク制御情報(DCI)フォーマットに少なくとも部分的に基づいて、1つまたは複数のA-SRS送信を送信するためのトリガを検出するための手段と、
前記リソース割当ての前記DCIフォーマットに少なくとも部分的に基づいて、前記1つまたは複数のA-SRS送信を送信するための、前記A-SRS構成の1つまたは複数のCCを決定するための手段と、
前記A-SRS構成の前記1つまたは複数の決定されたCC上で、前記1つまたは複数のA-SRS送信を送信するための手段とを備えるモバイルデバイス。
【請求項１７】
前記A-SRS構成の前記CCのうちの1つまたは複数は、1つまたは複数の補助UL CCを備え、前記1つまたは複数の補助UL CCは、UL基準信号送信用に構成され、ULデータ送信用には構成されない、請求項16に記載のモバイルデバイス。
【請求項１８】
A-SRS送信機電力制御(TPC)コマンドを示す、前記DCIフォーマットのフィールド中の電力制御情報を識別するための手段と、
前記電力制御情報に少なくとも部分的に基づく送信電力を使用して、前記1つまたは複数のA-SRS送信を送信するための手段とをさらに備える、請求項17に記載のモバイルデバイス。
【請求項１９】
前記DCIフォーマットに従って構成された前記リソース割当ての複数のビットに少なくとも部分的に基づいて、前記A-SRS構成の前記1つまたは複数のCCを識別するための手段をさらに備える、請求項16に記載のモバイルデバイス。
【請求項２０】
前記リソース割当てはサウンディング基準信号無線ネットワーク一時識別子(SRS-RNTI)を含み、前記SRS-RNTIは、前記A-SRS構成の複数のULリソース中での複数のA-SRS送信をトリガする、請求項16に記載のモバイルデバイス。
【請求項２１】
前記1つまたは複数のA-SRS送信と同時に送信されるべき追加アップリンク送信を識別するための手段と、
優先順位付けに少なくとも部分的に基づいて、前記追加アップリンク送信それとも前記1つまたは複数のA-SRS送信、それとも両方を送信するかを決定するための手段とをさらに備える、請求項16に記載のモバイルデバイス。
【請求項２２】
前記1つまたは複数のA-SRS送信を送信するための前記手段は、前記優先順位付けに少なくとも部分的に基づいて動作可能である、請求項21に記載のモバイルデバイス。
【請求項２３】
前記1つまたは複数のA-SRS送信と同時に送信されるべき追加アップリンク送信を識別するための手段をさらに備え、送信するための前記手段は、前記追加アップリンク送信ではなく、前記1つまたは複数のA-SRS送信を送信するように動作可能であり、前記追加アップリンク送信は、前記CA構成の1つまたは複数のコンポーネントキャリア上での物理アップリンク共有チャネル(PUSCH)送信を含む、請求項16に記載のモバイルデバイス。
【請求項２４】
前記CA構成のDLキャリアと、前記A-SRS構成の前記1つまたは複数のCCのうちの1つは、周波数リソースを共有する、請求項16に記載のモバイルデバイス。
【請求項２５】
ワイヤレス通信のためのネットワークデバイスであって、
1つまたは複数のユーザ機器(UE)のキャリアアグリゲーション(CA)構成および非周期サウンディング基準信号(A-SRS)構成を識別するための手段であって、前記A-SRS構成は、前記1つまたは複数のUEがアップリンク(UL)データ送信をその上では実施しない1つまたは複数のコンポーネントキャリア(CC)を備える、手段と、
前記CA構成におけるダウンリンクCC上でリソース割当てを送信するための手段であって、前記リソース割当ては、前記1つまたは複数のUEが、前記リソース割当てのダウンリンク制御情報(DCI)フォーマットに少なくとも部分的に基づいて、1つまたは複数のA-SRS送信を送信するためのトリガを含み、識別するための前記手段は、前記リソース割当ての前記DCIフォーマットに少なくとも部分的に基づいて、前記1つまたは複数のA-SRS送信を送信するための、前記A-SRS構成の前記1つまたは複数のCCを識別するように動作可能である、手段と、
前記DCIフォーマットによって識別されるCC上で、前記1つまたは複数のUEからA-SRS送信を受信するための手段とを備えるネットワークデバイス。
【請求項２６】
前記A-SRS構成の前記1つまたは複数のCCは、1つまたは複数の補助UL CCを備え、前記1つまたは複数の補助UL CCは、UL基準信号送信用に構成され、ULデータ送信用には構成されない、請求項25に記載のネットワークデバイス。
【請求項２７】
A-SRS送信機電力制御(TPC)コマンドを示す電力制御情報を前記DCIフォーマットのフィールド中で送信するための手段をさらに備える、請求項26に記載のネットワークデバイス。
【請求項２８】
前記A-SRS構成の前記1つまたは複数のCCを識別するための前記手段は、前記DCIフォーマットに従って構成された前記リソース割当ての複数のビットに少なくとも部分的に基づいて、前記A-SRS構成の前記1つまたは複数のCCを識別するように動作可能である、請求項25に記載のネットワークデバイス。
【請求項２９】
前記リソース割当てはサウンディング基準信号無線ネットワーク一時識別子(SRS-RNTI)を含み、前記SRS-RNTIは、前記A-SRS構成の複数のULリソース中での複数のA-SRS送信をトリガする、請求項25に記載のネットワークデバイス。
【請求項３０】
前記CA構成のDLキャリアと、前記A-SRS構成の前記1つまたは複数のCCのうちの1つは、周波数リソースを共有する、請求項25に記載のネットワークデバイス。
【発明の詳細な説明】
【技術分野】
【０００１】
相互参照
本特許出願は、各々が本出願の譲受人に譲渡された、2017年3月30日に出願された、「Sounding Reference Signal Triggering For Enhanced Carrier Aggregation」と題する、Rico Alvarinoらによる米国特許出願第15/474,840号、および2016年4月1日に出願された、「Sounding Reference Signal Triggering For Enhanced Carrier Aggregation」と題する、Rico Alvarinoらによる米国特許仮出願第62/317,465号の優先権を主張する。
【背景技術】
【０００２】
以下は、概して、ワイヤレス通信に関し、より詳細には、拡張キャリアアグリゲーション(eCA)のためのサウンディング基準信号(SRS)トリガリングに関する。
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。ワイヤレス多元接続通信システムは、各々がユーザ機器(UE)と呼ばれることがある、複数の通信デバイスのための通信を各々が同時にサポートする、いくつかの基地局を含み得る。
【０００４】
ワイヤレス通信システムが、キャリアアグリゲーション(CA)または拡張キャリアアグリゲーション(ECAもしくはeCA)構成において複数のコンポーネントキャリア(CC)をサポートする場合がある。CCは、基地局とUEとの間のアップリンク(UL)およびダウンリンク(DL)通信用に構成されてよい。UEが、基地局との通信に使われる周波数チャネルの品質を示すための基準信号(たとえば、サウンディング基準信号(SRS))を送信し得る。他の、未構成UL CCが、場合によってはSRS送信に使われてもよいが、非周期SRS送信が通常、SRSと同じCC上でのデータ送信用のULリソースのグラントを用いてトリガされる。
【発明の概要】
【課題を解決するための手段】
【０００５】
拡張キャリアアグリゲーション(eCA)のための非周期サウンディング基準信号(A-SRS)トリガリングをサポートする、ワイヤレス通信のための方法、システム、およびデバイス。ユーザ機器(UE)が、キャリアアグリゲーション(CA)構成(ULおよびDLデータ送信用に構成されたキャリアを有する)および補助UL構成(UL基準信号送信用に構成されたキャリアを有する)を示すシグナリングを受信し得る。CA構成のDLキャリア上でのリソース割当てが受信されてよく、UEは、受信されたリソース割当てに少なくとも部分的に基づいて、補助UL構成の1つまたは複数のキャリアを使用してA-SRSを送信してよい。
【０００６】
基地局が、UE用のCA構成および補助UL構成を示すシグナリングを送信し得る。CA構成は、ULおよびDLデータ送信用に構成されたキャリアを有してよく、補助UL構成は、UL基準信号送信用に構成されたキャリアを有してよい。基地局は次いで、CA構成の1つまたは複数のキャリアに、DLキャリア上でリソース割当てを送信し、送信されたリソース割当てに応答して、UEから再度、補助UL構成の1つまたは複数のキャリア中でA-SRSを受信する。UEはまた、CA構成およびA-SRS構成を有し、CA構成におけるDLキャリア上でリソース割当てを受信し、A-SRSを送信するためのトリガを検出し、A-SRSを送信するための、A-SRS構成のULリソースを決定し、決定されたULリソース上でA-SRSを送信することができる。
【０００７】
ワイヤレス通信の方法について記載する。この方法は、UEのキャリアアグリゲーション(CA)構成および非周期サウンディング基準信号(A-SRS)構成を識別するステップであって、A-SRS構成は、UEがアップリンク(UL)データ送信をその上では実施しない1つまたは複数のコンポーネントキャリア(CC)を備える、ステップと、CA構成におけるダウンリンク(DL)CC上でリソース割当てを受信するステップと、リソース割当てのダウンリンク制御情報(DCI)フォーマットに少なくとも部分的に基づいて、1つまたは複数のA-SRS送信を送信するためのトリガを検出するステップと、リソース割当てのDCIフォーマットに少なくとも部分的に基づいて、1つまたは複数のA-SRS送信を送信するための、A-SRS構成の1つまたは複数のCCを決定するステップと、A-SRS構成の1つまたは複数の決定されたCC上で、1つまたは複数のA-SRS送信を送信するステップとを含み得る。
【０００８】
ワイヤレス通信のための装置について記載する。この装置は、UEのキャリアアグリゲーション(CA)構成および非周期サウンディング基準信号(A-SRS)構成を識別するための手段であって、A-SRS構成は、UEがアップリンク(UL)データ送信をその上では実施しない1つまたは複数のコンポーネントキャリア(CC)を備える、手段と、CA構成におけるダウンリンク(DL)CC上でリソース割当てを受信するための手段と、リソース割当てのダウンリンク制御情報(DCI)フォーマットに少なくとも部分的に基づいて、1つまたは複数のA-SRS送信を送信するためのトリガを検出するための手段と、リソース割当てのDCIフォーマットに少なくとも部分的に基づいて、1つまたは複数のA-SRS送信を送信するための、A-SRS構成の1つまたは複数のCCを決定するための手段と、A-SRS構成の1つまたは複数の決定されたCC上で、1つまたは複数のA-SRS送信を送信するための手段とを含み得る。
【０００９】
ワイヤレス通信のための別の装置について記載する。この装置は、プロセッサと、プロセッサと電子通信するメモリと、メモリ内に記憶された命令とを含み得る。命令は、プロセッサに、UEのキャリアアグリゲーション(CA)構成および非周期サウンディング基準信号(A-SRS)構成を識別することであって、A-SRS構成は、UEがアップリンク(UL)データ送信をその上では実施しない1つまたは複数のコンポーネントキャリア(CC)を備える、ことと、CA構成におけるダウンリンク(DL)CC上でリソース割当てを受信することと、リソース割当てのダウンリンク制御情報(DCI)フォーマットに少なくとも部分的に基づいて、1つまたは複数のA-SRS送信を送信するためのトリガを検出することと、リソース割当てのDCIフォーマットに少なくとも部分的に基づいて、1つまたは複数のA-SRS送信を送信するための、A-SRS構成の1つまたは複数のCCを決定することと、A-SRS構成の1つまたは複数の決定されたCC上で、1つまたは複数のA-SRS送信を送信することとを行わせるように動作可能であり得る。
【００１０】
ワイヤレス通信のための非一時的コンピュータ可読媒体について記載する。非一時的コンピュータ可読媒体は、プロセッサに、UEのキャリアアグリゲーション(CA)構成および非周期サウンディング基準信号(A-SRS)構成を識別することであって、A-SRS構成は、UEがアップリンク(UL)データ送信をその上では実施しない1つまたは複数のコンポーネントキャリア(CC)を備える、ことと、CA構成におけるダウンリンク(DL)CC上でリソース割当てを受信することと、リソース割当てのダウンリンク制御情報(DCI)フォーマットに少なくとも部分的に基づいて、1つまたは複数のA-SRS送信を送信するためのトリガを検出することと、リソース割当てのDCIフォーマットに少なくとも部分的に基づいて、1つまたは複数のA-SRS送信を送信するための、A-SRS構成の1つまたは複数のCCを決定することと、A-SRS構成の1つまたは複数の決定されたCC上で、1つまたは複数のA-SRS送信を送信することとを行わせるように動作可能な命令を含み得る。
【００１１】
上述した方法、装置、および非一時的コンピュータ可読媒体のいくつかの例では、A-SRS構成のCCのうちの1つまたは複数は、1つまたは複数の補助UL CCを備え、1つまたは複数の補助UL CCは、UL基準信号送信用に構成され、ULデータ送信用には構成されない。
【００１２】
上述した方法、装置、および非一時的コンピュータ可読媒体のいくつかの例では、リソース割当てを受信することは、A-SRS送信機電力制御(TPC)コマンドを示す、DCIフォーマットのフィールド中の電力制御情報を識別することを含み、1つまたは複数のA-SRS送信は、電力制御情報に少なくとも部分的に基づく送信電力を使用して送信され得る。
【００１３】
上述した方法、装置、および非一時的コンピュータ可読媒体のいくつかの例は、DCIフォーマットに従って構成されたリソース割当ての複数のビットに少なくとも部分的に基づいて、A-SRS構成の1つまたは複数のCCを識別するためのプロセス、特徴、手段、または命令をさらに含み得る。
【００１４】
上述した方法、装置、および非一時的コンピュータ可読媒体のいくつかの例では、リソース割当てはサウンディング基準信号無線ネットワーク一時識別子(SRS-RNTI)を含み、SRS-RNTIは、A-SRS構成の複数のULリソース中での複数のA-SRS送信をトリガする。
【００１５】
上述した方法、装置、および非一時的コンピュータ可読媒体のいくつかの例は、1つまたは複数のA-SRS送信と同時に送信されるべき追加アップリンク送信を識別するためのプロセス、特徴、手段、または命令をさらに含み得る。上述した方法、装置、および非一時的コンピュータ可読媒体のいくつかの例は、優先順位付けに少なくとも部分的に基づいて、追加アップリンク送信それとも1つまたは複数のA-SRS送信、それとも両方を送信するかを決定するためのプロセス、特徴、手段、または命令をさらに含み得る。
【００１６】
上述した方法、装置、および非一時的コンピュータ可読媒体のいくつかの例は、優先順位付けに従って1つまたは複数のA-SRS送信を送信すると決定したことに少なくとも部分的に基づいて、1つまたは複数のA-SRS送信を送信するためのプロセス、特徴、手段、または命令をさらに含み得る。
【００１７】
上述した方法、装置、および非一時的コンピュータ可読媒体のいくつかの例は、1つまたは複数のA-SRS送信と同時に送信されるべき追加アップリンク送信を識別するためのプロセス、特徴、手段、または命令をさらに含み得る。上述した方法、装置、および非一時的コンピュータ可読媒体のいくつかの例は、追加アップリンク送信ではなく、1つまたは複数のA-SRS送信を送信するためのプロセス、特徴、手段、または命令をさらに含むことができ、追加アップリンク送信は、CA構成の1つまたは複数のコンポーネントキャリア上での物理アップリンク共有チャネル(PUSCH)送信を含む。
【００１８】
上述した方法、装置、および非一時的コンピュータ可読媒体のいくつかの例では、CA構成のDLキャリアと、A-SRS構成の1つまたは複数のCCのうちの1つは、周波数リソースを共有する。
【００１９】
ワイヤレス通信の方法について記載する。この方法は、1つまたは複数のユーザ機器(UE)のキャリアアグリゲーション(CA)構成および非周期サウンディング基準信号(A-SRS)構成を識別するステップであって、A-SRS構成は、1つまたは複数のUEがアップリンク(UL)データ送信をその上では実施しない1つまたは複数のコンポーネントキャリア(CC)を備える、ステップと、CA構成におけるダウンリンク(DL)CC上でリソース割当てを送信するステップであって、リソース割当ては、1つまたは複数のUEが、リソース割当てのダウンリンク制御情報(DCI)フォーマットに少なくとも部分的に基づいて、1つまたは複数のA-SRS送信を送信するためのトリガを含み、1つまたは複数のA-SRS送信を送信するためのA-SRS構成の1つまたは複数のCCが、リソース割当てのDCIフォーマットに少なくとも部分的に基づいて識別される、ステップと、DCIフォーマットによって識別されるCC上で、1つまたは複数のUEからA-SRS送信を受信するステップとを含み得る。
【００２０】
ワイヤレス通信のための装置について記載する。この装置は、1つまたは複数のユーザ機器(UE)のキャリアアグリゲーション(CA)構成および非周期サウンディング基準信号(A-SRS)構成を識別するための手段であって、A-SRS構成は、1つまたは複数のUEがアップリンク(UL)データ送信をその上では実施しない1つまたは複数のコンポーネントキャリア(CC)を備える、手段と、CA構成におけるダウンリンク(DL)CC上でリソース割当てを送信するための手段であって、リソース割当ては、1つまたは複数のUEが、リソース割当てのダウンリンク制御情報(DCI)フォーマットに少なくとも部分的に基づいて、1つまたは複数のA-SRS送信を送信するためのトリガを含み、1つまたは複数のA-SRS送信を送信するためのA-SRS構成の1つまたは複数のCCが、リソース割当てのDCIフォーマットに少なくとも部分的に基づいて識別される、手段と、DCIフォーマットによって識別されるCC上で、1つまたは複数のUEからA-SRS送信を受信するための手段とを含み得る。
【００２１】
ワイヤレス通信のための別の装置について記載する。この装置は、プロセッサと、プロセッサと電子通信するメモリと、メモリ内に記憶された命令とを含み得る。命令は、プロセッサに、1つまたは複数のユーザ機器(UE)のキャリアアグリゲーション(CA)構成および非周期サウンディング基準信号(A-SRS)構成を識別することであって、A-SRS構成は、1つまたは複数のUEがアップリンク(UL)データ送信をその上では実施しない1つまたは複数のコンポーネントキャリア(CC)を備える、ことと、CA構成におけるダウンリンク(DL)CC上でリソース割当てを送信することであって、リソース割当ては、1つまたは複数のUEが、リソース割当てのダウンリンク制御情報(DCI)フォーマットに少なくとも部分的に基づいて、1つまたは複数のA-SRS送信を送信するためのトリガを含み、1つまたは複数のA-SRS送信を送信するためのA-SRS構成の1つまたは複数のCCが、リソース割当てのDCIフォーマットに少なくとも部分的に基づいて識別される、ことと、DCIフォーマットによって識別されるCC上で、1つまたは複数のUEからA-SRS送信を受信することとを行わせるように動作可能であり得る。
【００２２】
ワイヤレス通信のための非一時的コンピュータ可読媒体について記載する。非一時的コンピュータ可読媒体は、プロセッサに、1つまたは複数のユーザ機器(UE)のキャリアアグリゲーション(CA)構成および非周期サウンディング基準信号(A-SRS)構成を識別することであって、A-SRS構成は、1つまたは複数のUEがアップリンク(UL)データ送信をその上では実施しない1つまたは複数のコンポーネントキャリア(CC)を備える、ことと、CA構成におけるダウンリンク(DL)CC上でリソース割当てを送信することであって、リソース割当ては、1つまたは複数のUEが、リソース割当てのダウンリンク制御情報(DCI)フォーマットに少なくとも部分的に基づいて、1つまたは複数のA-SRS送信を送信するためのトリガを含み、1つまたは複数のA-SRS送信を送信するためのA-SRS構成の1つまたは複数のCCが、リソース割当てのDCIフォーマットに少なくとも部分的に基づいて識別される、ことと、DCIフォーマットによって識別されるCC上で、1つまたは複数のUEからA-SRS送信を受信することとを行わせるように動作可能な命令を含み得る。
【００２３】
上述した方法、装置、および非一時的コンピュータ可読媒体のいくつかの例では、A-SRS構成の1つまたは複数CCは、1つまたは複数の補助UL CCを備え、1つまたは複数の補助UL CCは、UL基準信号送信用に構成され、ULデータ送信用には構成されない。
【００２４】
上述した方法、装置、および非一時的コンピュータ可読媒体のいくつかの例は、A-SRS送信機電力制御(TPC)コマンドを示す電力制御情報をDCIフォーマットのフィールド中で送信するためのプロセス、特徴、手段、または命令をさらに含み得る。
【００２５】
上述した方法、装置、および非一時的コンピュータ可読媒体のいくつかの例では、A-SRS構成の1つまたは複数のCCは、DCIフォーマットに従って構成されたリソース割当ての複数のビットに少なくとも部分的に基づいて識別され得る。
【００２６】
上述した方法、装置、および非一時的コンピュータ可読媒体のいくつかの例では、リソース割当てはサウンディング基準信号無線ネットワーク一時識別子(SRS-RNTI)を含み、SRS-RNTIは、A-SRS構成の複数のULリソース中での複数のA-SRS送信をトリガする。
【００２７】
上述した方法、装置、および非一時的コンピュータ可読媒体のいくつかの例では、CA構成のDLキャリアと、A-SRS構成の1つまたは複数のCCのうちの1つは、周波数リソースを共有する。
【００２８】
一実施形態では、デバイスまたはシステムは、プロセッサと、プロセッサと電子通信するメモリと、メモリ内に記憶された命令とを含むことができ、命令は、プロセッサによって実行されると、モバイルデバイスに、モバイルデバイスのキャリアアグリゲーション(CA)構成および非周期サウンディング基準信号(A-SRS)構成を識別することであって、A-SRS構成は、モバイルデバイスがアップリンク(UL)データ送信をその上では実施しない1つまたは複数のコンポーネントキャリア(CC)を備える、ことと、CA構成におけるダウンリンク(DL)CC上でリソース割当てを受信することと、リソース割当てのダウンリンク制御情報(DCI)フォーマットに少なくとも部分的に基づいて、1つまたは複数のA-SRS送信を送信するためのトリガを検出することと、リソース割当てのDCIフォーマットに少なくとも部分的に基づいて、1つまたは複数のA-SRS送信を送信するための、A-SRS構成の1つまたは複数のCCを決定することと、A-SRS構成の1つまたは複数の決定されたCC上で、1つまたは複数のA-SRS送信を送信することとを行わせるように動作可能である。
【００２９】
上述したデバイスまたはシステムのいくつかの例は、1つまたは複数の補助UL CCを備える、A-SRS構成のCCのうちの1つまたは複数も含むことができ、1つまたは複数の補助UL CCは、UL基準信号送信用に構成され、ULデータ送信用には構成されない。
【００３０】
上述したデバイスまたはシステムのいくつかの例では、命令は、モバイルデバイスに、A-SRS送信機電力制御(TPC)コマンドを示す、DCIフォーマットのフィールド中の電力制御情報を識別させるように、プロセッサによって実行可能であり得る。上述したシステムのいくつかの例は、電力制御情報に少なくとも部分的に基づく送信電力を使用して、1つまたは複数のA-SRS送信を送信することも含み得る。
【００３１】
上述したデバイスまたはシステムのいくつかの例では、命令は、モバイルデバイスに、DCIフォーマットに従って構成されたリソース割当ての複数のビットに少なくとも部分的に基づいて、A-SRS構成の1つまたは複数のCCを識別させるように、プロセッサによって実行可能であり得る。
【００３２】
上述したデバイスまたはシステムのいくつかの例では、リソース割当てはサウンディング基準信号無線ネットワーク一時識別子(SRS-RNTI)を含み、SRS-RNTIは、A-SRS構成の複数のULリソース中での複数のA-SRS送信をトリガする。
【００３３】
上述したデバイスまたはシステムのいくつかの例では、命令は、モバイルデバイスに、1つまたは複数のA-SRS送信と同時に送信されるべき追加アップリンク送信を識別させるように、プロセッサによって実行可能であり得る。上述したデバイスまたはシステムのいくつかの例は、優先順位付けに少なくとも部分的に基づいて、追加アップリンク送信それとも1つまたは複数のA-SRS送信、それとも両方を送信するかを決定することも含み得る。
【００３４】
上述したデバイスまたはシステムのいくつかの例では、命令は、モバイルデバイスに、優先順位付けに従って1つまたは複数のA-SRS送信を送信すると決定したことに少なくとも部分的に基づいて、1つまたは複数のA-SRS送信を送信させるように、プロセッサによって実行可能であり得る。
【００３５】
上述したデバイスまたはシステムのいくつかの例では、命令は、モバイルデバイスに、1つまたは複数のA-SRS送信と同時に送信されるべき追加アップリンク送信を識別させるように、プロセッサによって実行可能であり得る。上述したデバイスまたはシステムのいくつかの例は、追加アップリンク送信ではなく、1つまたは複数のA-SRS送信を送信することも含んでよく、追加アップリンク送信は、CA構成の1つまたは複数のコンポーネントキャリア上での物理アップリンク共有チャネル(PUSCH)送信を含む。
【００３６】
上述したデバイスまたはシステムのいくつかの例では、CA構成のDLキャリアと、A-SRS構成の1つまたは複数のCCのうちの1つは、周波数リソースを共有する。
【００３７】
一実施形態では、デバイスまたはシステムは、プロセッサと、プロセッサと電子通信するメモリと、メモリ内に記憶された命令とを含むことができ、命令は、プロセッサによって実行されると、ネットワークデバイスに、1つまたは複数のユーザ機器(UE)のキャリアアグリゲーション(CA)構成および非周期サウンディング基準信号(A-SRS)構成を識別することであって、A-SRS構成は、1つまたは複数のUEがアップリンク(UL)データ送信をその上では実施しない1つまたは複数のコンポーネントキャリア(CC)を備える、ことと、CA構成におけるダウンリンクCC上でリソース割当てを送信することであって、リソース割当ては、1つまたは複数のUEが、リソース割当てのダウンリンク制御情報(DCI)フォーマットに少なくとも部分的に基づいて、1つまたは複数のA-SRS送信を送信するためのトリガを含み、1つまたは複数のA-SRS送信を送信するためのA-SRS構成の1つまたは複数のCCが、リソース割当てのDCIフォーマットに少なくとも部分的に基づいて識別される、ことと、DCIフォーマットによって識別されるCC上で、1つまたは複数のUEからA-SRS送信を受信することとを行わせるように動作可能である。
【００３８】
上述したデバイスまたはシステムのいくつかの例では、A-SRS構成の1つまたは複数のCCは、1つまたは複数の補助UL CCを備え、1つまたは複数の補助UL CCは、UL基準信号送信用に構成され、ULデータ送信用には構成されない。
【００３９】
上述したデバイスまたはシステムのいくつかの例では、命令は、ネットワークデバイスに、A-SRS送信機電力制御(TPC)コマンドを示す電力制御情報をDCIフォーマットのフィールド中で送信させるように、プロセッサによって実行可能であり得る。
【００４０】
上述したデバイスまたはシステムのいくつかの例では、A-SRS構成の1つまたは複数のCCは、DCIフォーマットに従って構成されたリソース割当ての複数のビットに少なくとも部分的に基づいて識別され得る。
【００４１】
上述したデバイスまたはシステムのいくつかの例では、リソース割当てはサウンディング基準信号無線ネットワーク一時識別子(SRS-RNTI)を含み、SRS-RNTIは、A-SRS構成の複数のULリソース中での複数のA-SRS送信をトリガする。
【００４２】
上述したデバイスまたはシステムのいくつかの例では、CA構成のDLキャリアと、A-SRS構成の1つまたは複数のCCのうちの1つは、周波数リソースを共有する。
【図面の簡単な説明】
【００４３】
【図１】本開示の態様による、拡張キャリアアグリゲーション(eCA)のための非周期サウンディング基準信号(A-SRS)トリガリングをサポートするワイヤレス通信システムの例を示す図である。
【図２】本開示の態様による、eCAのためのA-SRSトリガリングをサポートするワイヤレス通信システムの例を示す図である。
【図３】本開示の態様による、eCAのためのA-SRSトリガリングをサポートするCC構成の例を示す図である。
【図４】本開示の態様による、eCAのためのA-SRSトリガリングをサポートするシステムにおけるプロセスフローの例を示す図である。
【図５】本開示の態様による、eCAのためのA-SRSトリガリングをサポートするシステムにおけるプロセスフローの例を示す図である。
【図６】本開示の態様による、eCAのためのA-SRSトリガリングをサポートするワイヤレスデバイスのブロック図である。
【図７】本開示の態様による、eCAのためのA-SRSトリガリングをサポートするワイヤレスデバイスのブロック図である。
【図８】本開示の態様による、eCAのためのA-SRSトリガリングをサポートするワイヤレスデバイスのブロック図である。
【図９】本開示の態様による、eCAのためのA-SRSトリガリングをサポートするUEを含むシステムのブロック図である。
【図１０】本開示の態様による、eCAのためのA-SRSトリガリングをサポートするワイヤレスデバイスのブロック図である。
【図１１】本開示の態様による、eCAのためのA-SRSトリガリングをサポートするワイヤレスデバイスのブロック図である。
【図１２】本開示の態様による、eCAのためのA-SRSトリガリングをサポートするワイヤレスデバイスのブロック図である。
【図１３】本開示の態様による、eCAのためのA-SRSトリガリングをサポートする基地局を含むシステムのブロック図である。
【図１４】本開示の態様による、eCAのためのA-SRSトリガリングのための方法を示す図である。
【図１５】本開示の態様による、eCAのためのA-SRSトリガリングのための方法を示す図である。
【図１６】本開示の態様による、eCAのためのA-SRSトリガリングのための方法を示す図である。
【図１７】本開示の態様による、eCAのためのA-SRSトリガリングのための方法を示す図である。
【図１８】本開示の態様による、eCAのためのA-SRSトリガリングのための方法を示す図である。
【図１９】本開示の態様による、eCAのためのA-SRSトリガリングのための方法を示す図である。
【図２０】本開示の態様による、eCAのためのA-SRSトリガリングのための方法を示す図である。
【図２１】本開示の態様による、eCAのためのA-SRSトリガリングのための方法を示す図である。
【図２２】本開示の態様による、eCAのためのA-SRSトリガリングのための方法を示す図である。
【発明を実施するための形態】
【００４４】
非周期サウンディング基準信号(A-SRS)は、他のキャリアのリソース向けのグラント中で、またはUL CC上のA-SRSについての特定の要求を用いて、場合によっては未構成なUL CC上でトリガされ得る。これは、複数のULキャリア上で送信するためのUE能力を活用してよく、SRS送信のための追加機会を提供することができる。これは、不十分なリソース割振りの問題、または削減されたスループットの他の原因に対処することができる。
【００４５】
たとえば、ワイヤレス通信システムは、UEがサポートすることが可能な、UL CCの部分を構成することができ、CA用に利用可能なアップリンクCC用のサウンディング基準信号(SRS)送信を予約することができる。その結果、構成されたUL CCを有しない帯域についてのチャネル条件の不正確な推定が行われる場合があり、これにより、チャネルの不十分な使用および削減されたスループットが引き起こされる場合がある。ワイヤレス通信システム(たとえば、レガシーLTE)のいくつかの実装形態では、サウンディング基準信号(SRS)は、UL上でUEから基地局に(たとえば、基地局がチャネルサウンディングを実施することを可能にするために)送信されてよい。SRSは、周期的または非周期的に送信されてよい。周期的SRSのために、無線リソース制御(RRC)メッセージは、UEによって受信され、UEが、そのサービング基地局(BS)に周期的SRSを周期的に送信することになっていると示せばよい。非周期SRS(A-SRS)のために、ULまたはDLグラントが、A-SRSの送信をトリガするためにサービングBSによってUEに送られてよい。ただし、レガシーLTEに関連付けられたいくつかのDL制御情報(DCI)フォーマットは、A-SRSのトリガ(たとえば、DCIフォーマット1A、2B、2C、2D)をサポートすることができ、UL DCIフォーマットも、A-SRS用のトリガ(たとえば、DCIフォーマット0、4)をサポートするが、他のDCIフォーマットは、具体的にはDLグラント用の他のDCIフォーマットは、サポートしない。したがって、UEが、BSにUL CC上でA-SRSを送信するように、基地局によって構成されている場合であっても、A-SRSの送信をトリガするための技法が、いくつかのDCIフォーマット用に必要とされる。
【００４６】
さらに、UEが、複数のDL CC(たとえば、DLに専用の1つまたは複数のCCを含む)上で受信するが、少数(たとえば、1つ)のUL CC上で送信するように構成されている場合、UEは、DL CC用の、具体的には、DL CCの周波数をUL CCと共有しないDL CC(たとえば、専用DL CC)用の、ULグラントを監視することができない。したがって、UEは、A-SRSについてのトリガを受信するために、ULグラントの監視に依拠することができない場合がある。A-SRSのトリガリングは、修正されたDLグラント、修正されたULグラント、グループのUEごとに専用のグループトリガ、およびUEのグループごとに専用のトリガに基づいてよい。A-SRSのトリガリングのこれらの例の各々について、以下でさらに詳しく論じる。
【００４７】
他の例では、特定のCA構成中に多くのDL CCがある場合、複数のA-SRSの間、または1つもしくは複数のA-SRSと、UL CC上で送信されるべき他のUL信号(たとえば、周期的SRS、PUSCH、HARQを含むPUCCH、CSIフィードバックを含むPUCCH、動的にスケジュールされたPUSCH、SPS PUSCHなど)との間で、衝突が起こり得る。したがって、UL信号の所定および/または構成可能な階層が、そのような衝突を解決するのに使われ得る。
【００４８】
上で提起した本開示の態様が、ワイヤレス通信システムのコンテキストにおいて以下で説明される。本開示の態様について、eCAのためのA-SRSトリガリングに関連する装置図、システム図、およびフローチャートによってさらに示し、それらを参照しながら説明する。
【００４９】
図1は、本開示の様々な態様によるワイヤレス通信システム100の例を示す。ワイヤレス通信システム100は、基地局105、UE115、およびコアネットワーク130を含む。いくつかの例では、ワイヤレス通信システム100は、ロングタームエボリューション(LTE)/LTEアドバンスト(LTE-A)ネットワークであり得る。
【００５０】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100中に示されている通信リンク125は、UE115から基地局105へのUL送信、または基地局105からUE115へのDL送信を含み得る。UE115は、ワイヤレス通信システム100全体にわたって分散されてよく、各UE115は固定または移動であり得る。UE115は、移動局、加入者局、リモートユニット、ワイヤレスデバイス、アクセス端末(AT)、ハンドセット、ユーザエージェント、クライアント、または同様の用語で呼ばれることもある。UE115は、セルラーフォン、ワイヤレスモデム、ハンドヘルドデバイス、パーソナルコンピュータ、タブレット、パーソナル電子デバイス、マシンタイプ通信(MTC)デバイスなどであってもよい。
【００５１】
基地局105は、コアネットワーク130および互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)互いと通信し得る。基地局105は、UE115との通信のための無線構成およびスケジューリングを実施し得るか、または基地局コントローラ(図示せず)の制御下で動作し得る。いくつかの例では、基地局105は、マクロセル、スモールセル、ホットスポットなどであり得る。基地局105は、eノードB(eNB)105とも呼ばれ得る。
【００５２】
基地局105がULチャネル品質を推定することができるように、UE115によって、所定のシーケンス(たとえば、Zadoff-Chuシーケンス)を使用してサウンディング基準信号(SRS)が送信され得る。A-SRS送信は、別のチャネル上でのデータの送信に関連付けられなくてよく、広帯域幅(たとえば、ULデータ送信用に割り振られるよりも多くのサブキャリアを含む帯域幅)上で周期的に送信され得る。SRSは、複数のアンテナポート上でスケジュールされてもよく、依然として単一のSRS送信と見なされ得る。SRS送信は、タイプ0(等しく離間した間隔で周期的に送信される)SRSとして、またはタイプ1(非周期的)SRSとしてカテゴリ化され得る。したがって、SRSから基地局105によって集められたデータが、ULスケジューラに通知するのに使われ得る。基地局105は、タイミング整合状況をチェックし、UE155-aに時間整合コマンドを送るのに、SRSを使用することもできる。
【００５３】
ユーザ機器(UE)115は、キャリアアグリゲーション(CA)のためのいくつかのコンポーネントキャリア(CC)(たとえば、最大32個のCC)で構成されてよい。CAのCCは、1つまたはいくつかの基地局105に関連付けられ得る。各CCは、後方互換性があり、異なる周波数ギャップ(たとえば、最大20MHz)にわたり得る。UE115用に構成された複数のCCは、最大周波数領域(たとえば、最高で640MHz)にわたり得る。CAにおけるCCは、すべて周波数分割複信(FDD)であるか、すべて時分割複信(TDD)であるか、またはFDDとTDDの混合であってよい。異なるTDD CCは、同じまたは異なるアップリンク(UL)/ダウンリンク(DL)構成を有し得る。いくつかのケースでは、特殊サブフレームが、異なるTDD CCのために異なるように構成されてよい。あるCCが、UEの1次CC(たとえば、PCellまたはPCC)として構成されてよく、他のCCは、2次CC(たとえば、SCellまたはSCC)として構成されてよい。PCellは、物理アップリンク制御チャネル(PUCCH)を伝達し得る。いくつかのCCは認可スペクトル上にあってよく、いくつかの他のCCは、無認可スペクトルまたは共有スペクトル上にあってよい。
【００５４】
いくつかの例では、UE115は、多数のCC(たとえば、20個以上のCC)で構成されてよい。このタイプの構成は、拡張CA(eCA)と呼ばれ得る。eCAという用語は、CAアグリゲーション方式のより初期の展開に対して拡張型であるCA構成も指し得る。たとえば、いくつかの送信のための、補助UL CCの使用またはCCの間の動的な切替えが、eCAの例であり得る。CAおよびeCAという用語はしたがって、多重キャリア構成に関連した特徴を記述するために、交換可能に使われ得る。いくつかのケースでは、eCAは、拡張システムにおけるCAを指し得る。
【００５５】
いくつかのケースでは、UE115は、デュアル接続性動作において非理想バックホールリンク134によって接続される2つ以上の基地局105からのセルによってサービスされる場合がある。たとえば、サービング基地局105の間の接続は、正確なタイミング調整を容易にするには十分ではない場合がある。したがって、いくつかのケースでは、UE115をサービスするセルは、複数のTAGに分割され得る。別の例では、1つまたは複数のCCが1つまたは複数のリピータと接続されてよく、他のCCは、リピータなしで操作されてよい。結果として、いくつかのケースでは、UE115をサービスするセルまたは異なるCCは、複数のTAGに分割され得る。各TAGは、UE115が、異なるULキャリアに対して異なるようにUL送信を同期させ得るように、異なるタイミングオフセットに関連付けられ得る。
【００５６】
デュアル接続性では、セルは、2つのグループ、すなわち1次セルグループ(PCG)と2次セルグループ(SCG)に区分され得る。各グループは、CAにおいて1つまたは複数のセルを有してよく、PUCCHを伝達するのに単一のセルを使えばよい。したがっていくつかのケースでは、UEがPCellで構成されてよく、別のCCは、1次2次(primary secondary)CC(たとえば、PSCell)として構成されてよい。PSCellは、PUCCHを(たとえば、SCG用に)伝達することもできるが、PCellの属性すべてを含まなくてもよい。UL制御情報は、各グループ中のPUCCHを介して、各グループに別々に伝えられ得る。SCGは、半永続的スケジューリング(SPS)およびスケジューリング要求(SR)もサポートし得る。UE115は、SCG中の共通探索空間をさらに監視することができる。
【００５７】
いくつかのケースでは、ワイヤレス通信システム100は、拡張コンポーネントキャリアを使用し得る。eCCは、より広い帯域幅、より短いシンボル持続時間、より短い送信時間間隔(TTI)、および変更された制御チャネル構成を含む、1つまたは複数の特徴によって特徴づけられ得る。いくつかのケースでは、eCCは、キャリアアグリゲーション構成またはデュアル接続性構成(たとえば、複数のサービングセルが準最適または非理想バックホールリンクを有するとき)に関連付けられ得る。eCCはまた、無認可スペクトルまたは(2つ以上のオペレータがスペクトルを使用することを許可される)共有スペクトルにおいて使うために構成され得る。広帯域幅によって特徴づけられるeCCは、全帯域幅を監視することが可能でないか、または(たとえば、電力を節約するために)限られた帯域幅を使用することを選好するUE115によって利用され得る1つまたは複数のセグメントを含み得る。
【００５８】
いくつかのケースでは、eCCは、他のCCのシンボル持続時間と比較して縮小されたシンボル持続時間の使用を含み得る、他のCCとは異なるシンボル持続時間を利用し得る。より短いシンボル持続時間が、増大したサブキャリア間隔に関連付けられる。eCCを使用する、UE115または基地局105などのデバイスが、縮小されたシンボル持続時間(たとえば、16.67マイクロ秒)で、広帯域信号(たとえば、20、40、60、80MHzなど)を送信し得る。eCC中のTTIは、1つまたは複数のシンボルからなり得る。いくつかのケースでは、TTI持続時間(つまり、TTI中のシンボルの数)は可変であってよい。いくつかのケースでは、eCCは、他のCCのシンボル持続時間と比較して縮小されたシンボル持続時間の使用を含み得る、他のCCとは異なるシンボル持続時間を利用し得る。より短いシンボル持続時間が、増大したサブキャリア間隔に関連付けられる。eCCを使用する、UE115または基地局105などのデバイスが、縮小されたシンボル持続時間(たとえば、16.67マイクロ秒)で、広帯域信号(たとえば、20、40、60、80MHzなど)を送信し得る。eCC中のTTIは、1つまたは複数のシンボルからなり得る。いくつかのケースでは、TTI持続時間(つまり、TTI中のシンボルの数)は可変であってよい。
【００５９】
ワイヤレス通信システム100(たとえば、レガシーLTE)のいくつかの実装形態では、サウンディング基準信号(SRS)は、アップリンク(UL)上でUE115から基地局105に(たとえば、基地局がチャネルサウンディングを実施することを可能にするために)送信されてよい。SRSは、周期的または非周期的に送信されてよい。非周期SRS(A-SRS)のために、ULまたはDLグラントが、A-SRSの送信をトリガするためにサービングBSによってUEに送られてよい。A-SRSのトリガリングは、修正されたDLグラント、修正されたULグラント、グループのUEごとに専用のグループトリガ、およびUEのグループごとに専用のトリガに基づいてよい。A-SRSのトリガリングのこれらの例の各々について、以下でさらに詳しく論じる。他の例では、複数のA-SRSの間、または1つもしくは複数のA-SRSと、UL CC上で送信されるべき他のUL信号(たとえば、周期的SRS、PUSCH、HARQを含むPUCCH、CSIフィードバックを含むPUCCH、動的にスケジュールされたPUSCH、SPS PUSCHなど)との間で、衝突が起こり得る。したがって、UL信号の所定および/または構成可能な階層が、そのような衝突を解決するのに使われ得る。
【００６０】
図2は、CAのためのA-SRSトリガリングのためのワイヤレス通信システム200の例を示す。ワイヤレス通信システム200は、図1を参照して説明した対応するデバイスの例であり得る基地局105-aおよびUE115-aを含み得る。ワイヤレス通信システム200は、A-SRSの送信のための補助UL CC215の構成をサポートするシステムを表す。補助UL CC215の構成は、CAにおける、UEのCCサポート能力に基づき得る。
【００６１】
いくつかのケースでは、CA構成は、UL CC210よりも多くのDL CC205を含み得る。これは、非対称CA構成として知られ得る。たとえば、UE115(たとえば、UE115-a)は、対応するUL CCを有しないDL CC205のチャネル推定のためのA-SRSを送信しなくてよい。そのようなケースでは、サービング基地局105(たとえば、基地局105-a)は、DL CC205すべてについて、正確なチャネル推定値を生じることができるとは限らない場合がある。したがって、基地局105-aは、A-SRSの送信のためのいくつかの補助UL CC215(たとえば、CA構成のUL CC210に関連付けられていないDL CC205の数に対応する)でUE115-aを構成すればよい。こうすることにより、CA構成における各CCについて、より正確なチャネル推定を可能にすることができ、ワイヤレス通信システム200の効率を向上することができる。
【００６２】
UE115-aは、場合によってはULデータ送信用に構成されていない可能性がある補助UL CC215の利用可能リソース上でA-SRSを送信することができる。いくつかのケースでは、UE115は、CA構成における他のUL CC(たとえば、CA UL CC210)と並列に(たとえば、並行して)、補助UL CC215を使用して送信することができる。並列送信をサポートしないUE115は、様々な例において、協調アンテナ切替え、レートマッチング、またはリソースパンクチャリング手順を用いて、補助UL CC215上でA-SRSを送信すればよい。いくつかのケースでは、UE115は、補助UL CC215およびUL CC210上で異なるときに送信することができ、キャリアの間の同調に関連付けられた時間またはギャップを示すことができる。たとえば、ギャップ持続時間は、UL CCに、またはそれらから切り替えるための持続時間(たとえば、補助UL CC215とCA UL CC210との間の切替えに関連付けられた持続時間)を基地局105-aと協調させるように示され得る。
【００６３】
補助UL CC215は、UE115のUL CC能力に基づいて構成および/または操作されてよい。異なるUE115は、UL CAにおいて異なる能力を有し得る。たとえば、UE115-aは、2つのUL CC(たとえば、1つの補助UL CC215および1つのCA UL CC210で構成された)を使うことが可能であってよく、UE115-bは、3つのUL CC(たとえば、2つの補助UL CC215および1つのCA UL CC210で構成された)を使うことが可能であってよい。UE能力は、周波数帯に依存し得る。つまり、UE115は、いくつかの帯域用にはUL CAが可能だが、他の帯域とはUL CAが可能でない場合がある。ある特定の数のUL CC(たとえば、N個のCC)をもつCA構成をサポートするUE115は、その数よりも少ないCC(たとえば、N個未満のCC)で構成される場合がある。たとえば、UE115-aは、CA構成におけるUL CC210を使うことが可能であり得るが、CA構成用の1つのUL CC210で構成される場合がある。
【００６４】
例として、UE115-bが、3つのUL CC210をもつCA構成をサポートすることが可能であり得るとしても、UE115-bは、CA用に3つのDL CC205および1つのUL CC210で構成される場合がある。いくつかの例では、UE115-bは、構成されたUL CCの総数に基づいて、並列送信に限定される場合がある。たとえば、UE115-bは、2つのUL CC210を含むCA構成で構成されてよく、1つの補助UL CC215で構成されてよく、UE115-bは、単一のサブフレーム中、2つのUL CC上での並行送信に限定される場合がある。しかし、いくつかのケースでは、UE115-bは、UE115-bがサポートするCCの総数に基づいて並列UL送信を行うことができる。たとえば、UE115-bは、3つのUL CC210をもつCA構成をサポートすることができ、UE115-bは、2つのUL CC210および1つの補助UL CC215で構成される場合がある。そのようなケースでは、UE115-bは、単一のサブフレーム中に、UL CC210と補助UL CC215の両方において並行して送信することができる。
【００６５】
切替えに関与する2つ以上のCC用に並列送信が可能でないUE115用に、UL CCは、UL CCシンボル利用可能性に基づいて構成されてよい。あるCCから別のCCに切り替えるよう求められる時間によっては、いくつかのシンボルは、切替えを容易にするように、パンクチャリングされるか、またはレートマッチングされ得る(たとえば、ULサブフレームの第1のシンボル)。たとえば、UE115-bは、補助UL CC215(たとえば、基準信号送信用に構成されたCC)からUL CC210(たとえば、UL制御およびデータ送信用に構成されたCC)に切り替えてよい。そのようなケースでは、切替えを容易にするために、UL CC210上での送信に使われるサブフレームの第1のシンボルは、UL送信(たとえば、PUSCHまたはPUCCH)に利用可能でない場合がある。代替として、UE115-bは、UL CC210から補助UL CC215に切り替えてよい。このタイプの切替えシナリオは、他の送信に影響しない場合がある。たとえば、補助UL CC215上でのA-SRS送信に使われるサブフレーム中に、そのサブフレームの少なくとも第1のいくつかのシンボル中には、他の送信はない場合がある。したがって、補助UL CC215に対してはインパクトがほとんどないか、またはまったくない場合がある。
【００６６】
UE能力は、他の送信に使われるシンボルが、CCの間を切り替えることによって影響され得る程度に対して影響を与え得る。UE115が、高速切替えが可能である場合、UE115は、他の送信に影響することなく、CCの間を切り替えることができ、したがって、切替えのために指定されるシンボルはなくてよい。さらに、A-SRSシンボルロケーションは、他のシンボル中での送信がインパクトを受け得る程度に対して影響を与え得る。たとえば、A-SRSが、サブフレームの最終シンボルまたはシンボルの最終セットの中に置かれていない場合、他のシンボルは、UE115がCCの間を切り替えることにより影響されなくてよい。したがって、ワイヤレス通信システム200が、特定のシンボルに対する切替えインパクトを助長することは不必要であり得る。
【００６７】
いくつかのケースでは、UE115が、スケジューリングが切替えに適応するためのいくつかの要件または選好を示す場合がある。たとえば、UE115が、あるCCから別のCCに切り替える必要があるか、または好ましくはそうしなければならない持続時間またはギャップを、UE115がシグナリングし得る。ギャップは、UE115がその間を切り替えている最中のCCの周波数帯に依存し得る。例として、帯域間切替えのために、UE115は、特定の帯域組合せについて、切替えのために短い、それとも長いギャップが使われるか(たとえば、帯域ごとに1ビットまたは帯域組合せごとに1ビット)をシグナリングし得る。追加または代替として、帯域内切替えのために、シグナリングは、帯域内での切替えのための長い、または短いギャップを示すための1ビットを含み得る。いくつかの例では、「学習能力ビット」と呼ばれ得る追加ビットがさらに使われ得る。たとえば、UE115が可能である場合、特定の帯域用に、または帯域内で、長いギャップが使用されてよく、その後、短いギャップが次いで、切替えに使われてよい。UE115は、この能力を、「学習能力ビット」を使用して基地局105に示せばよい。
【００６８】
ワイヤレス通信システム200は、補助UL CC215上でのPRACH送信も(たとえば、補助UL CC215についてのULタイミングを取得するために)サポートし得る。競合ベースのPRACHではなく、非競合ベースのPRACHがサポートされてよく、PCellまたはPSCellからのダウンリンク制御情報によりトリガされてよい。たとえば、ワイヤレス通信システム200は、特に、UE115が2つ以上のタイミングアドバンスグループ(TAG)で構成されているとき、補助UL CC215上のPRACHをサポートし得る。CA構成の補助UL CC215およびUL CC210は、異なるTAGに関連付けられてよく、その場合、補助UL CC215向けの異なるULタイミングが使われてよい。そのようなケースでは、異なるULタイミングは、A-SRS送信を、同じCC上の、他のUE115からのUL送信に直交させ得る。
【００６９】
デュアル接続性を利用するような他の例では、A-SRS送信のための切替えは、デュアル接続性のために構成されたキャリアの各グループに当てはまり得る。1つまたは複数の補助UL CC215の構成は、各グループ用に別々に構成されてよい。たとえば、PCGは、補助UL CC215を構成させない場合があり、SCGは、1つの補助UL CC215で構成される場合がある。同様の方式が、2つのPUCCHグループが構成される場合は、CAにおいて利用され得る。
【００７０】
一例では、補助UL CC215中でのA-SRSの送信は、DL CC205上で受信されるDLグラントに基づいてトリガされ得る。送信モードに依存して、DLグラントは、いくつかの異なるDCIフォーマットに従ってDL CC205上で送信され得る。いくつかの例では、各送信モード用の各DLグラントは、補助UL CC215中でのA-SRS信号の送信をトリガするための1つまたは複数のビットを含み得る。たとえば、DCIフォーマットの各々の中の1ビットが、DL CCの周波数リソースをUL CCと共有するDL CC(たとえば、DL CCとUL CCはペアにされたCCである)をDLグラントが指すかどうか、またはDL CCの周波数リソースをUL CCと共有しないDL CC(たとえば、DL CCおよびUL CCはペアでないCCである)をDLが指すかどうかを示し得る。このビットは、A-SRS要求フィールド(たとえば、SRSまたはA-SRSトリガフィールド)の一部であってよい。いくつかの例では、新たな1ビットまたは複数のビットが、指示を伝えるために、DCIフォーマットの各々に追加されてよい。他の例では、既存のビットが、そのような指示のために再利用されてよい。いくつかの例では、様々なDCIフォーマット用に、ビットの組合せが追加され、再利用されてよい。DCIフォーマットでのDLグラントを受信したUE115は次いで、A-SRSが、たとえば補助UL CC215中で、要求側基地局105に送信されるべきかどうかを判断し得る。
【００７１】
他の例によると、補助UL CC215のリソースが、DLグラントに関連付けられたDCIフォーマットに少なくとも部分的に基づいて、A-SRSの送信用に、(A-SRSの送信に利用可能な利用可能リソースのセットの中から)選択され得る。たとえば、第1のDLグラントが第1のDCIフォーマット(たとえば、DCIフォーマット1A)で初めて受信された場合、補助UL CC215の第1のリソース(たとえば、1つまたは複数のリソースブロック)が、A-SRSを送るのに使われてよく、第2のDLグラントが異なるDCIフォーマット(たとえば、DCIフォーマット2B)で、後で受信された場合、補助UL CC215の異なるリソース(たとえば、異なる1つまたは複数のリソースブロック)が、A-SRSを送信するために選択されてよい。
【００７２】
UE115がA-SRSトリガを(たとえば、DLグラントのA-SRSトリガフィールド中のそのようなトリガを示すビットを受信することによって)受信したとき、UE115は、補助UL CC215上で送信されるA-SRSのための電力制御を提供してよい。
【００７３】
いくつかの例では、DCIフォーマット用の送信機電力制御(TPC)コマンドフィールドは、A-SRSトリガフィールドが、UE115がA-SRSを送信することを示さないとき、PUCCHの電力制御のためのTPCコマンドフィールド中の電力制御情報をUE115が使うとともに、A-SRSトリガフィールドが、UE115がA-SRSを送信することを示すとき、A-SRSの電力制御のためのTPCコマンドフィールド中の電力制御情報をUE115が使うように、条件付きであってよい。
【００７４】
他の例では、電力制御情報は、A-SRS TPCコマンドに専用のDCIフォーマットのフィールド中で、A-SRSの電力制御のためにUE115に提供され得る。したがって、A-SRSトリガが、上記修正されたDCIフォーマットに従ってDLグラント中で示されるとき、A-SRS TPCコマンドフィールドが存在し得る。いくつかの例では、A-SRS TPCコマンドフィールドは、常に存在し得るが、A-SRSトリガが示されない限り、A-SRS TPCコマンド用には使われない場合がある。
【００７５】
さらなる例では、UE115が補助UL構成に従って(たとえば、補助UL CC215においてA-SRSを非周期的に送信するように)構成されているとき、UE115は、UL電力制御に関連付けられたDCIフォーマット(たとえば、レガシーLTE DCIフォーマット3および3A)でのDCIを絶えず監視し得る。A-SRSについてのUL電力制御情報は次いで、DCIフォーマット3および3Aで受信されたDCIから判断されてよい。
【００７６】
第2の例では、補助UL CC215中でのA-SRSの送信は、DL CC205上で受信されるULグラントに基づいてトリガされ得る。いくつかの例では、ULグラントは、いくつかのフィールドまたはパラメータが所定の値に設定されるとA-SRSをトリガするものと解釈される、(たとえば、DCIフォーマット0を有する)レガシーULグラントであってよい。ULグラントは、UE115がULグラントの特定の1つのフィールドまたは複数のフィールドを値の所定の組合せを含むものと解釈すると、A-SRSがトリガされ得るように、基地局105によって構成されてよい。基地局105は、PUSCHを送信するために場合によっては使われるであろういくつかの値または内容(たとえば、MCS、リソースブロックの数など)を、A-SRSをトリガするために、ULグラントに含めることができる。言い換えると、PUSCHデータを送信する代わりに、A-SRSが送信されてよい。たとえば、ULグラントに関連付けられたDCIフォーマットの中の1ビットが、DL CCの周波数リソースをUL CCと共有するDL CC(たとえば、DL CC205とCA UL CC210はペアにされたCCである)をULグラントが指すかどうか、またはDL CCの周波数リソースをUL CCと共有しないDL CC(たとえば、DL CC205およびCA UL CC210はペアでないCCである)をULグラントが指すかどうかを示し得る。ULグラントに関連付けられたDCIフォーマットが、後者(たとえば、ペアでないCC)に関連付けられていることを示すとUE115が判断した場合、UE115は、内容が、UE115による、基地局105へのA-SRSの送信をトリガするためのいくつかの所定の値に設定されなければならないかどうかを判断するために、ULグラントのいくつかの内容を評価してよい。たとえば、UE115は、ULグラント中のMCSが29に設定され、リソースブロックの数も特定の値に設定されている場合、A-SRSの送信をトリガするように事前構成されてよい。そのようなリソースは、たとえば、UE115が、A-SRS送信のためのULグラントを監視するように構成され得るので、利用可能であり得る。
【００７７】
他の例では、その周波数リソースをUL CCと共有するDL CC(たとえば、DL CC205とCA UL CC210はペアにされたCCである)を指すULグラントが、A-SRSをトリガするのに使われ得る。いくつかの例では、ULグラント中のビットが、特定の補助UL構成におけるいくつかの異なる補助UL CC215に関連付けられたA-SRSをトリガするのに使われてよい。たとえば、UE115は、同じ周波数リソースに関連付けられたUL CCを有しない(たとえば、2つ以上の補助UL CC215が存在する)、2つ以上のDL CCを使う補助UL構成(たとえば、A-SRS構成)を有し得る。DL CC205(たとえば、CA UL CC210とペアにされている)中で送信されるULグラント中の2つ以上のビットが次いで、基地局105によって、補助UL CC215の各々におけるA-SRSの送信をトリガするのに使われ得る。ある例では、DLグラント中の2ビットが、それぞれ、第1の補助UL CC215および第2の補助UL CC215中で第1のA-SRSと第2のA-SRSのうちのゼロ、1つ、または両方をトリガするのに使われ得る。いくつかの例では、第1のA-SRSは、第2のA-SRSで多重化された時間ドメインである。
【００７８】
第3の例では、補助UL CC215中でのA-SRSの送信は、UEごとに専用のグループトリガの一部としてトリガされ得る。いくつかの補助UL CC215向けの1つまたは複数のA-SRS送信をトリガするのに使われ得るグラント用に、DCIフォーマットが定義されてよい。たとえば、UE115は、31個の補助UL CC215のうちの1つまたは複数においてA-SRSを送信するように構成され得る。DCIフォーマットは、31個の補助UL CCのうちのどれが、対応するDL CC205に関連付けられたA-SRSを送信するのに使われるべきかを指定するための5ビットを含み得る。他の例では、5よりも多いビットを使用して、複数のA-SRSが同じときにトリガされ得る(たとえば、DCIフォーマット中の31ビットが、A-SRSの各可能な組合せが、31個のDL CC205に対応する31個の補助UL CC215用にトリガされることを可能にし得る)。
【００７９】
いくつかのケースでは、たとえば、時間ドメイン多重化法でのA-SRSの送信のための順序または他のパターンを指定するために、追加パラメータがDCIフォーマットに追加されてよい。追加パラメータは、補助UL CC215のうちの1つまたは複数についての電力制御情報を提供し得る。いくつかのケースでは、DCIフォーマットでの追加パラメータは、複数のキャリアについての、もしくはタイミングアドバンスグループ(TAG)についてのタイミングアドバンス(TA)情報、またはA-SRSを送信するのに使うべきA-SRSリソースを提供し得る。いくつかの例では、追加パラメータの組合せの1つまたは複数が、DCIフォーマット中に含まれるフィールドによって指定され得る。いくつかの例では、DCIフォーマットは、UE115によるブラインド復号がより単純になり得るように、1つまたは複数のレガシーDCIフォーマットと同じ長さを有し得る。
【００８０】
第4の例では、補助UL CC215中でのA-SRSの送信は、基地局105-aからの同じグラントによって、UE(たとえば、UE115-aとUE115-bの両方)のグループ向けにトリガされ得る。複数のUE向けのA-SRSをトリガするのに使われ得るグラント用にDCIフォーマット(たとえば、グループDCI)が定義されてよく、各UEも、補助UL CC215のうちの1つまたは複数において1つまたは複数のA-SRSを送信するためにトリガされ得る。たとえば、DCIフォーマットに関連付けられたグラント中の4ビットが、2つの異なるUEの各々において2つの異なるA-SRSをトリガするのに使われてよい。たとえば、グラントの第1の2ビットは、UE115-aに関連付けられてよく、2つの補助UL CC215(各補助UL CCは、同じ周波数リソースを共有するDL CC205に対応する)上で2つのA-SRSをトリガするのに使うことができ、グラントの第2の2ビットは、UE115-bに関連付けられてよく、2つの補助UL CC215上で2つのA-SRSをトリガするのに使うことができる。いくつかの例では、グループDCIはPCCによって送信され得る。他の例では、グループDCIはPSCellによって送信され得る。いくつかのケースでは、グループDCIに関連付けられたオーバーヘッドは、個々のUEグラントと比較して削減されてよい。
【００８１】
いくつかの実装形態では、基地局105-aのスケジューラが、一緒には送信されなくてよいA-SRSおよび他のアップリンク送信の間の衝突を解決し得る。いくつかの状況では、周期的SRSおよびA-SRS送信は衝突し得る。基地局105-aのスケジューラは、シグナリングの事前構成階層に基づいて、SRS、A-SRS、他のアップリンク送信、またはそれらすべてを送信するかを判断し得る。一例では、基地局105-aは、衝突を解決するのに、シグナリングの事前構成階層を使えばよい。一例では、HARQ PUCCHには最も高い優先順位が割り当てられてよく、次に低い優先順位をもつCSIフィードバックを含むPUCCHが続き、次に低い優先順位をもつ動的にスケジュールされたPUSCHが続き、次に低い優先順位をもつA-SRSが続き、次に低い優先順位をもつSPS PUSCHが続き、最も低い優先順位をもつ周期的SRSが続く。他の実装形態では、基地局105-aは、異なる優先順位付け階層によるか、またはより多い、もしくはより少ないタイプのULおよび/もしくはDL送信を含む衝突を解決するように構成されてよい。
【００８２】
図3は、eCAのためのA-SRSトリガリングをサポートするCC構成300の例を示す。いくつかのケースでは、CC構成300は、図1〜図2を参照して説明したような、UE115または基地局105によって実施される技法の態様を表し得る。図3は、CA構成、補助UL構成、および未構成であるUL CCを含む、3つのCC構成におけるCCを示す。DL CC305のうちのいくつかは、UL CC310のうちの1つと周波数リソースを共有する。具体的には、同じ周波数リソース315を共有するDL CCとUL CC(たとえば、UL CCとDL CCは、ペアにされているか、またはCCのペアであると見なされ得る)、および同じ周波数リソース320を共有するDL CCとUL CC(たとえば、UL CCとDL CCは、ペアにされているか、またはCCのペアであると見なされ得る)は、CA構成の各部である。CA構成は、周波数リソース325および330をCA構成におけるUL CCと共有しない、周波数リソース325および330に関連付けられたDL CC305も含む(たとえば、DL CCは、対応するUL CCとはペアにされないか、またはCCは、CA構成においてペアでないCCである)。UL CC310は、周波数リソース325に関連付けられ、たとえば、A-SRSを送信するのに使われ得る補助UL構成の一部であってよい。UL CC310は、周波数リソース330に関連付けられ、DL CC305のみが周波数リソース330に関連付けられるように、所与のときに構成の一部でない場合がある。
【００８３】
図4は、eCAのためのA-SRSトリガリングのためのプロセスフロー400の例を示す。いくつかのケースでは、プロセスフロー400は、図1〜図2を参照して説明したような、UE115または基地局105によって実施される技法の態様を表し得る。
【００８４】
405において、UE115-c用のCA構成および補助UL構成を含むCA構成情報を、基地局105-bは送信してよく、UE115-cは受信してよい。CA構成は、UE115-cが、基地局105-bとデータを送信および受信するのに使うための1つまたは複数のUL CCおよび1つまたは複数のDL CCを含み得る。補助UL構成(たとえば、A-SRS構成)は、データ送信に使われるCA構成を除いて、たとえば、基地局105-bによってそうするようトリガされたとき、UE115-cがA-SRSを基地局105-bに送信するのに使うことができる1つまたは複数の補助UL CCを含み得る。
【００８５】
410において、1つまたは複数のDL CCにおいて、リソース割当てを含むDL送信を、基地局105-bは送信してよく、UE115-cは受信してよい。リソース割当ては、DLグラント、再利用されるULグラントを含むULグラント、グループグラント、または図1〜図2を参照して上述した他のリソース割当てのうちの1つまたは複数であってよい。
【００８６】
420において、UE115-cは、受信されたリソース割当てに基づいて、A-SRSを、補助UL CCにおけるUL送信として送信し得る。A-SRSは、図1〜図2を参照して上記でさらに記載したようにトリガされ得る。
【００８７】
UE115-cはまた、415において、A-SRSと同じまたは異なるときのいずれかに、1つまたは複数のCA UL CC(たとえば、DL送信に使われる1つまたは複数のDL CCとペアにされてよい)を使用して、基地局105-bにUL送信を送信し得る。
【００８８】
図5は、eCAのためのA-SRSトリガリングのためのプロセスフロー500の例を示す。いくつかのケースでは、プロセスフロー500は、図1〜図2を参照して説明したような、UE115または基地局105によって実施される技法の態様を表し得る。
【００８９】
505において、UE115-c向けのCA構成およびA-SRS構成(たとえば、補助UL構成)を含むA-SRS構成情報を、基地局105-cは送信してよく、UE115-dは受信してよい。いくつかの例では、A-SRS構成情報を含む無線リソース制御(RRC)メッセージが、505において送られ得る。CA構成は、UE115-dが、基地局105-cとデータを送信および受信するのに使うための1つまたは複数のUL CCおよび1つまたは複数のDL CCを含み得る。A-SRS構成は、データ送信に使われるCA構成を除いて、たとえば、基地局105-bによってそうするようトリガされたとき、UE115-dがA-SRSを基地局105-cに送信するのに使うことができる1つまたは複数のA-SRS送信用のUL CCを含み得る。
【００９０】
510において、1つまたは複数のDL CCにおいて、リソース割当てを含むDL送信を、基地局105-cは送信してよく、UE115-dは受信してよい。リソース割当ては、DLグラント、再利用されるULグラントを含むULグラント、グループグラント、または図1〜図2を参照して上述した他のリソース割当てのうちの1つまたは複数であってよい。
【００９１】
515において、UE115-dは、基地局105-cから受信されたリソース割当てに基づいて、A-SRSを送信するためのトリガを検出し得る。A-SRSは、図1〜図2を参照して上記でさらに記載したようにトリガされ得る。
【００９２】
520において、UE115-dは、A-SRS、または1つもしくは複数のA-SRSを基地局105-cに送信するのに使うべきA-SRS構成のULリソースを決定することができる。ULリソースは、図1〜図2を参照して上記でさらに記載したように決定され得る。
【００９３】
530において、UE115-cは、決定されたリソース割当てに基づいて、1つまたは複数のA-SRSをUL CC上でUL送信として送信してよい。いくつかの例では、1つまたは複数のA-SRSを送信するのに使われるUL CCは、CA構成に従って、基地局105-cからUE115-dへのデータ送信に使われる1つまたは複数の専用DL CCと周波数リソースを共有し得る。
【００９４】
UE115-dはまた、525において、A-SRSと同じまたは異なるときのいずれかに、1つまたは複数のCA UL CC(たとえば、DL送信に使われる1つまたは複数のDL CCとペアにされてよい)を使用して、基地局105-cにUL送信を送信し得る。
【００９５】
図6は、本開示の様々な態様による、eCAのためのA-SRSトリガリングをサポートするワイヤレスデバイス600のブロック図を示す。ワイヤレスデバイス600は、図1および図2を参照して説明したUE115の態様の例であってよい。ワイヤレスデバイス600は、受信機605、UE補助アップリンクマネージャ610、および送信機615を含み得る。ワイヤレスデバイス600は、プロセッサも含み得る。これらのコンポーネントの各々は、互いと通信することができる。
【００９６】
受信機605は、パケット、ユーザデータ、または様々な情報チャネルに関連付けられた制御情報(たとえば、制御チャネル、データチャネルおよびeCAのためのA-SRSトリガリングに関する情報など)などの情報を受信し得る。情報は、デバイスの他のコンポーネントに渡され得る。受信機605は、図9を参照して説明するトランシーバ925の態様の例であってよい。
【００９７】
UE補助アップリンクマネージャ610は、CA構成およびA-SRS構成を識別することと、CA構成におけるDLキャリア上でリソース割当てを受信することと、リソース割当てに基づいて、A-SRSを送信するためのトリガを検出することと、A-SRSを送信するためのA-SRS構成のULリソースを決定することと、決定されたULリソース上でA-SRSを送信することと、CA構成および補助UL構成を示すシグナリングを受信することであって、CA構成は、ULおよびDLデータ送信用に構成された1つまたは複数のキャリアを備え、補助UL構成は、UL基準信号送信用に構成された1つまたは複数のキャリアを備える、ことと、CA構成のDLキャリア上でリソース割当てを受信することと、受信されたリソース割当てに基づいて、補助UL構成の1つまたは複数のキャリアを使用してA-SRSを送信することとを行うことができる。UE補助アップリンクマネージャ610はまた、図9を参照して説明するUE補助アップリンクマネージャ905の態様の例であってよい。
【００９８】
送信機615は、ワイヤレスデバイス600の他のコンポーネントから受信された信号を送信し得る。いくつかの例では、送信機615は、トランシーバモジュール内で受信機とコロケートされ得る。たとえば、送信機615は、図9を参照して説明するトランシーバ925の態様の例であってよい。送信機615は、単一のアンテナを含み得るか、または複数のアンテナを含み得る。
【００９９】
図7は、本開示の様々な態様による、eCAのためのA-SRSトリガリングをサポートするワイヤレスデバイス700のブロック図を示す。ワイヤレスデバイス700は、図1、図2、および図6を参照して説明したワイヤレスデバイス600またはUE115の態様の例であってよい。ワイヤレスデバイス700は、受信機705、UE補助アップリンクマネージャ710、および送信機735を含み得る。ワイヤレスデバイス700は、プロセッサも含み得る。これらのコンポーネントの各々は、互いと通信することができる。
【０１００】
受信機705は、デバイスの他のコンポーネントに渡され得る情報を受信し得る。受信機705は、図6の受信機605を参照して記載した機能を実施することもできる。受信機705は、図9を参照して説明するトランシーバ925の態様の例であってよい。
【０１０１】
UE補助アップリンクマネージャ710は、図6を参照して説明したUE補助アップリンクマネージャ610の態様の例であってよい。UE補助アップリンクマネージャ710は、構成コンポーネント715、リソース割当てコンポーネント720、A-SRSコンポーネント725およびA-SRSトリガコンポーネント730を含み得る。UE補助アップリンクマネージャ710は、図9を参照して説明するUE補助アップリンクマネージャ905の態様の例であってよい。
【０１０２】
構成コンポーネント715は、CA構成および補助UL構成をもつUEを構成するためのRRCメッセージを受信することであって、RRCメッセージは、UEのセット用のA-SRS構成を含む、ことと、A-SRS構成を受信することであって、A-SRS構成は、A-SRSを送信するのに専用の1つまたは複数のULキャリアを識別する、ことと、CA構成およびA-SRS構成をもつUEを構成するためのRRCメッセージを受信することであって、RRCメッセージは、UEのセット用のA-SRS構成を含む、ことと、CA構成および補助UL構成を示すシグナリングを受信することであって、CA構成は、ULおよびDLデータ送信用に構成された1つまたは複数のキャリアを備え、補助UL構成は、UL基準信号送信用に構成された1つまたは複数のキャリアを備える、こととを行うことができる。いくつかのケースでは、補助UL構成はA-SRS構成を含む。いくつかのケースでは、CA構成のDLキャリアと補助UL構成のキャリアは、周波数リソースを共有する。
【０１０３】
リソース割当てコンポーネント720は、ULまたはDL送信用のリソースを識別し、受信されたリソース割当てが、補助UL構成に関連付けられ、リソース割当てフォーマットにあると判断し、受信されたリソース割当てに関連付けられたリソース割当てフォーマットを決定し、決定されたリソース割当てフォーマットに基づいて、A-SRSを送信するのに使われるリソースを決定し、ULデータ送信に関するリソース割当てを識別し、識別に基づいてA-SRSを送信すると決定し、受信されたリソース割当てに基づいて、リソース割当て中で、キャリアのセットに対するA-SRSのセットに関連付けられたULグラントを受信し、補助UL構成の1つまたは複数のキャリアを使用して送信されるべきA-SRS用のリソースを識別し、CA構成におけるDLキャリア上でリソース割当てを受信し、A-SRSを送信するためのA-SRS構成のULリソースを決定し、CA構成のDLキャリア上でリソース割当てを受信することができる。
【０１０４】
いくつかのケースでは、リソース割当てはDLグラントを含む。いくつかのケースでは、リソース割当ては、ULデータ送信用に構成された1つまたは複数のキャリアのリソースについてのULグラントを含む。いくつかのケースでは、リソース割当ては、UEの送信モードに基づいて、利用可能DLグラントフォーマットのセットから選択されたフォーマットを有するDLグラントを含み、利用可能DLグラントフォーマットのセットの各DLグラントフォーマットは、UEがA-SRS構成で構成されているとき、A-SRSトリガを含む。いくつかのケースでは、リソース割当てはサウンディング基準信号無線ネットワーク一時識別子(SRS-RNTI)を含み、SRS-RNTIは、A-SRS構成のULリソースのセットの中のA-SRSのセットをトリガする。
【０１０５】
A-SRSコンポーネント725は、決定されたUL CC上でA-SRS送信を送信し、受信されたリソース割当てに基づいて、補助UL構成の1つまたは複数のキャリアを使用してA-SRSを送信し得る。A-SRSトリガコンポーネント730は、リソース割当てのDCIフォーマットに基づくUL CCを使用してA-SRS送信を送信するためのトリガを検出し得る。
【０１０６】
送信機735は、ワイヤレスデバイス700の他のコンポーネントから受信された信号を送信し得る。いくつかの例では、送信機735は、トランシーバモジュール内で受信機とコロケートされ得る。たとえば、送信機735は、図9を参照して説明するトランシーバ925の態様の例であってよい。送信機735は、単一のアンテナを使用し得るか、または複数のアンテナを使用し得る。
【０１０７】
図8は、ワイヤレスデバイス600またはワイヤレスデバイス700の対応するコンポーネントの例であり得るUE補助アップリンクマネージャ800のブロック図を示す。すなわち、UE補助アップリンクマネージャ800は、図6および図7を参照して説明したUE補助アップリンクマネージャ610またはUE補助アップリンクマネージャ710の態様の例であってよい。UE補助アップリンクマネージャ800はまた、図9を参照して説明するUE補助アップリンクマネージャ905の態様の例であってよい。
【０１０８】
UE補助アップリンクマネージャ800は、構成コンポーネント805、A-SRSコンポーネント810、監視コンポーネント815、キャリア識別コンポーネント820、リソース割当てコンポーネント825、同時送信コンポーネント830、A-SRSトリガコンポーネント835、A-SRS要求コンポーネント840および電力制御コンポーネント845を含み得る。これらのモジュールの各々は、(たとえば、1つまたは複数のバスを介して)直接または間接的に互いと通信し得る。
【０１０９】
構成コンポーネント805は、CA構成および補助UL構成をもつUEを構成するためのRRCメッセージを受信することであって、RRCメッセージは、UEのセット用のA-SRS構成を含む、ことと、A-SRS構成を受信することであって、A-SRS構成は、A-SRSを送信するのに専用の1つまたは複数のULキャリアを識別する、ことと、CA構成およびA-SRS構成をもつUEを構成するためのRRCメッセージを受信することであって、RRCメッセージは、UEのセット用のA-SRS構成を含む、ことと、CA構成および補助UL構成を示すシグナリングを受信することであって、CA構成は、ULおよびDLデータ送信用に構成された1つまたは複数のキャリアを備え、補助UL構成は、UL基準信号送信用に構成された1つまたは複数のキャリアを備える、こととを行うことができる。
【０１１０】
A-SRSコンポーネント810は、決定されたUL CC上でA-SRS送信を送信し、受信されたリソース割当てに基づいて、補助UL構成の1つまたは複数のキャリアを使用してA-SRSを送信し得る。監視コンポーネント815は、UL電力制御に関連付けられたリソース割当てフォーマットを求めて、CA構成のDLキャリアを監視し得る。
【０１１１】
キャリア識別コンポーネント820は、受信されたリソース割当てに基づいて、補助UL構成のキャリアのセットを識別し、DCIフォーマットに従って構成されたリソース割当ての複数のビットに基づいて補助を識別し、キャリアの識別されたセットにおいてA-SRSのセットを送信し、UE用に、UEに関連付けられたA-SRSのセットのうちのA-SRSを送信するのに使われるべき、補助UL構成の1つまたは複数のキャリアを識別し得る。いくつかのケースでは、リソース割当ては、キャリアのセットを示すための、A-SRSトリガビットのセットを含む。いくつかのケースでは、リソース割当ては、A-SRSのセットの時間ドメイン多重化(TDM)オーダリングの指示、キャリアのセットについての電力制御情報、またはキャリアのセットについてのタイミングアドバンス情報を含む。
【０１１２】
リソース割当てコンポーネント825は、受信されたリソース割当てが、補助UL構成に関連付けられ、リソース割当てフォーマットであると判断し、受信されたリソース割当てに関連付けられたリソース割当てフォーマットを決定し、決定されたリソース割当てフォーマットに基づいて、A-SRSを送信するのに使われるリソースを決定し、ULデータ送信に関するリソース割当てを識別し、識別に基づいてA-SRSを送信すると決定し、受信されたリソース割当てに基づいて、リソース割当て中で、キャリアのセットに対するA-SRSのセットに関連付けられたULグラントを受信し、補助UL構成の1つまたは複数のキャリアを使用して送信されるべきA-SRS用のリソースを識別し、CA構成におけるDLキャリア上でリソース割当てを受信し、リソース割当てのDCIフォーマットに基づいて、A-SRS送信を送信するためのA-SRS構成のUL CCを決定し、CA構成のDLキャリア上でリソース割当てを受信し得る。
【０１１３】
同時送信コンポーネント830は、ULチャネルが、補助UL構成のうちの1つまたは複数において同時に送信されるべきであることを識別し、A-SRS送信と同時に送信されるべき非A-SRSアップリンク送信を識別し、A-SRS送信、非A-SRS送信、それとも両方を送信するかを、優先順位階層に従って判断し得る。
【０１１４】
A-SRSトリガコンポーネント835は、リソース割当てのDCIフォーマットに基づくUL CCを使用してA-SRS送信を送信するためのトリガを検出し得る。A-SRS要求コンポーネント840は、リソース割当て中でA-SRS要求フィールドを受信し、A-SRS要求フィールドに基づいてA-SRSを送信すると決定し得る。
【０１１５】
電力制御コンポーネント845は、リソース割当て中で、電力制御コマンドを受信し、A-SRS TPCコマンドを含むDCIフォーマットのフィールド中の電力制御情報を識別し、電力制御コマンドに少なくとも基づいて送信電力を決定し、送信電力に基づいてA-SRSを送信し、リソース割当てフォーマットの1つまたは複数のビットを、A-SRS用の電力制御に関連付けられているものとして識別し得る。いくつかのケースでは、電力制御コマンドは、A-SRSに関連付けられた電力制御コマンドがなければUL制御チャネル用であるシグナリングを使用して送信される。いくつかのケースでは、電力制御コマンドは、リソース割当て中に、A-SRS用の電力制御の明示的指示を含む。
【０１１６】
図9は、本開示の様々な態様による、eCAのためのA-SRSトリガリングをサポートするデバイスを含むシステム900の図を示す。たとえば、システム900は、UE115-eを含んでよく、UE115-eは、図1、図2、および図6〜図8を参照して説明したワイヤレスデバイス600、ワイヤレスデバイス700、またはUE115の例であってよい。
【０１１７】
UE115-eはまた、UE補助アップリンクマネージャ905、メモリ910、プロセッサ920、トランシーバ925、アンテナ930、およびECCモジュール935を含み得る。これらのモジュールの各々は、(たとえば、1つまたは複数のバスを介して)直接または間接的に互いと通信し得る。UE補助アップリンクマネージャ905は、図6〜図8を参照して説明したUE補助アップリンクマネージャの例であってよい。
【０１１８】
メモリ910は、ランダムアクセスメモリ(RAM)および読取り専用メモリ(ROM)を含み得る。メモリ910は、実行されると、本明細書で説明する様々な機能(たとえば、eCAのためのA-SRSトリガリングなど)をプロセッサに実施させる命令を含むコンピュータ可読コンピュータ実行可能ソフトウェアを記憶し得る。いくつかのケースでは、ソフトウェア915は、プロセッサによって直接実行可能ではないことがあるが、(たとえば、コンパイルされ、実行されると)本明細書で説明する機能をコンピュータに実施させ得る。プロセッサ920は、インテリジェントハードウェアデバイス(たとえば、中央処理ユニット(CPU)、マイクロコントローラ、特定用途向け集積回路(ASIC)など)を含み得る。
【０１１９】
上記で説明したように、トランシーバ925は、1つまたは複数のアンテナまたはワイヤードもしくはワイヤレスリンクを介して、1つまたは複数のネットワークと双方向に通信し得る。たとえば、トランシーバ925は、基地局105またはUE115と双方向に通信し得る。トランシーバ925は、パケットを変調し、変調されたパケットを送信のためにアンテナに与え、アンテナから受信されたパケットを復調するためのモデムも含み得る。いくつかのケースでは、ワイヤレスデバイスは、単一のアンテナ930を含み得る。ただし、いくつかのケースでは、デバイスは複数のアンテナ930を有することができ、複数のアンテナ930は、複数のワイヤレス送信を並行して送信または受信することが可能であり得る。
【０１２０】
ECCモジュール935は、共有スペクトルもしくは無認可スペクトルを使用する通信、短縮されたTTIもしくはサブフレーム持続時間を使用する通信、または多数のコンポーネントキャリアを使用する通信などの、ECCを使用する動作を可能にし得る。
【０１２１】
図10は、本開示の様々な態様による、eCAのためのA-SRSトリガリングをサポートするワイヤレスデバイス1000のブロック図を示す。ワイヤレスデバイス1000は、図1および図2を参照して説明した基地局105の態様の例であってよい。ワイヤレスデバイス1000は、受信機1005、基地局補助アップリンクマネージャ1010、および送信機1015を含み得る。ワイヤレスデバイス1000は、プロセッサも含み得る。これらのコンポーネントの各々は、互いと通信することができる。
【０１２２】
受信機1005は、パケット、ユーザデータ、または様々な情報チャネルに関連付けられた制御情報(たとえば、制御チャネル、データチャネルおよびeCAのためのA-SRSトリガリングに関する情報など)などの情報を受信し得る。情報は、デバイスの他のコンポーネントに渡され得る。受信機1005は、図13を参照して説明するトランシーバ1325の態様の例であってよい。
【０１２３】
基地局補助アップリンクマネージャ1010は、UE用のCA構成および補助UL構成を示すシグナリングを送信することであって、CA構成は、ULおよびDLデータ送信用に構成された1つまたは複数のキャリアを備え、補助UL構成は、UL基準信号送信用に構成された1つまたは複数のキャリアを備える、ことと、CA構成の1つまたは複数のキャリアのうちのDLキャリア上でリソース割当てを送信することと、送信されたリソース割当てに応答して、補助UL構成の1つまたは複数のキャリアを使用してA-SRSを受信することとを行うことができる。基地局補助アップリンクマネージャ1010はまた、図13を参照して説明する基地局補助アップリンクマネージャ1305の態様の例であってよい。
【０１２４】
送信機1015は、ワイヤレスデバイス1000の他のコンポーネントから受信された信号を送信し得る。いくつかの例では、送信機1015は、トランシーバモジュール内で受信機とコロケートされ得る。たとえば、送信機1015は、図13を参照して説明するトランシーバ1325の態様の例であってよい。送信機1015は、単一のアンテナを含み得るか、または送信機1015は、複数のアンテナを含み得る。
【０１２５】
図11は、本開示の様々な態様による、eCAのためのA-SRSトリガリングをサポートするワイヤレスデバイス1100のブロック図を示す。ワイヤレスデバイス1100は、図1、図2、および図10を参照して説明したワイヤレスデバイス1000または基地局105の態様の例であってよい。ワイヤレスデバイス1100は、受信機1105、基地局補助アップリンクマネージャ1110、および送信機1130を含み得る。ワイヤレスデバイス1100は、プロセッサも含み得る。これらのコンポーネントの各々は、互いと通信することができる。
【０１２６】
受信機1105は、デバイスの他のコンポーネントに渡され得る情報を受信し得る。受信機1105は、図10の受信機1005を参照して記載した機能を実施することもできる。受信機1105は、図13を参照して説明するトランシーバ1325の態様の例であってよい。
【０１２７】
基地局補助アップリンクマネージャ1110は、図10を参照して説明した基地局補助アップリンクマネージャ1010の態様の例であってよい。基地局補助アップリンクマネージャ1110は、リソース割当てコンポーネント1115、A-SRSコンポーネント1120および構成コンポーネント1125を含み得る。基地局補助アップリンクマネージャ1110は、図13を参照して説明する基地局補助アップリンクマネージャ1305の態様の例であってよい。
【０１２８】
リソース割当てコンポーネント1115は、CA構成の1つまたは複数のキャリアのうちのDLキャリア上でリソース割当てを送信することと、リソース割当て中で、電力制御コマンドを送信することであって、A-SRSは電力制御コマンドに基づく、ことと、リソース割当てフォーマットに従ってリソース割当てを送信することであって、A-SRSはリソース割当てフォーマットに基づく、こととを行うことができる。
【０１２９】
いくつかのケースでは、リソース割当てはDLグラントを含む。いくつかのケースでは、送信されたリソース割当ては、UL電力制御に関連付けられるとともに、A-SRS用の電力制御に関連付けられた1つまたは複数のビットを含むリソース割当てフォーマットを含む。いくつかのケースでは、リソース割当ては、ULデータ送信用のリソース割当てを含み、A-SRSは、ULデータ送信に関して、リソース割当ての識別に基づく。
【０１３０】
A-SRSコンポーネント1120は、決定されたULキャリア上でA-SRS送信を受信し、UEのセットから、およびULグラントに基づいて、補助UL構成の1つまたは複数のキャリアを使用してA-SRSのセットを受信し得る。
【０１３１】
構成コンポーネント1125は、UE用のCA構成および補助UL構成を示すシグナリングを送信することであって、CA構成は、ULおよびDLデータ送信用に構成された1つまたは複数のキャリアを備え、補助UL構成は、UL基準信号送信用に構成された1つまたは複数のキャリアを備える、ことと、CA構成および補助UL構成をもつUEを含む、CAおよび補助UL構成のセットでUEのセットを構成するためのRRCメッセージを送信することとを行うことができる。
【０１３２】
送信機1130は、ワイヤレスデバイス1100の他のコンポーネントから受信された信号を送信し得る。いくつかの例では、送信機1130は、トランシーバモジュール内で受信機とコロケートされ得る。たとえば、送信機1130は、図13を参照して説明するトランシーバ1325の態様の例であってよい。送信機1130は、単一のアンテナを使用し得るか、または複数のアンテナを使用し得る。
【０１３３】
図12は、ワイヤレスデバイス1000またはワイヤレスデバイス1100の対応するコンポーネントの例であり得る基地局補助アップリンクマネージャ1200のブロック図を示す。すなわち、基地局補助アップリンクマネージャ1200は、図10および図11を参照して説明した基地局補助アップリンクマネージャ1010または基地局補助アップリンクマネージャ1110の態様の例であってよい。基地局補助アップリンクマネージャ1200はまた、図13を参照して説明する基地局補助アップリンクマネージャ1305の態様の例であってよい。
【０１３４】
基地局補助アップリンクマネージャ1200は、リソース割当てコンポーネント1205、A-SRSコンポーネント1210、A-SRS要求コンポーネント1215、構成コンポーネント1220およびULグラントコンポーネント1225を含み得る。これらのモジュールの各々は、(たとえば、1つまたは複数のバスを介して)直接または間接的に互いと通信し得る。
【０１３５】
リソース割当てコンポーネント1205は、CA構成の1つまたは複数のキャリアのうちのDLキャリア上でリソース割当てを送信することと、A-SRS TPCコマンドを示すDCIフォーマットのフィールド中で電力制御情報を送信することと、リソース割当て中で、電力制御コマンドを送信することであって、A-SRSは電力制御コマンドに基づく、ことと、リソース割当てフォーマットに従ってリソース割当てを送信することであって、A-SRSはリソース割当てフォーマットに基づく、こととを行うことができる。
【０１３６】
A-SRSコンポーネント1210は、送信されたリソース割当てに応答して、補助UL構成の1つまたは複数のキャリアを使用してA-SRSを受信し、UEのセットから、およびULグラントに基づいて、補助UL構成の1つまたは複数のキャリアを使用してA-SRSのセットを受信し得る。A-SRS要求コンポーネント1215は、リソース割当て中でA-SRS要求フィールドを送信することができ、A-SRSはA-SRS要求フィールドに基づく。
【０１３７】
構成コンポーネント1220は、UE用のCA構成および補助UL構成を示すシグナリングを送信することであって、CA構成は、ULおよびDLデータ送信用に構成された1つまたは複数のキャリアを備え、補助UL構成は、UL基準信号送信用に構成された1つまたは複数のキャリアを備える、ことと、CA構成および補助UL構成をもつUEを含む、CAおよび補助UL構成のセットでUEのセットを構成するためのRRCメッセージを送信することとを行うことができる。
【０１３８】
ULグラントコンポーネント1225は、リソース割当て中で、UEのセットに関連付けられたULグラントを送信することができる。いくつかのケースでは、リソース割当ては、ULデータ送信用に構成された1つまたは複数のキャリアのリソースについてのULグラントを含む。
【０１３９】
図13は、本開示の様々な態様による、eCAのためのA-SRSトリガリングをサポートする、構成されたデバイスを含むワイヤレスシステム1300の図を示す。たとえば、ワイヤレスシステム1300は、基地局105-eを含んでよく、基地局105-eは、図1、図2、および図10〜図12を参照して説明したワイヤレスデバイス1000、ワイヤレスデバイス1100、または基地局105の例であってよい。基地局105-eはまた、通信を送信するためのコンポーネントおよび通信を受信するためのコンポーネントを含む、双方向音声およびデータ通信のためのコンポーネントを含み得る。たとえば、基地局105-eは、1つまたは複数のUE115と双方向に通信し得る。
【０１４０】
基地局105-eはまた、基地局補助アップリンクマネージャ1305、メモリ1310、プロセッサ1320、トランシーバ1325、アンテナ1330、基地局通信モジュール1335、およびネットワーク通信モジュール1340を含んでよい。これらのモジュールの各々は、(たとえば、1つまたは複数のバスを介して)直接または間接的に互いと通信し得る。基地局補助アップリンクマネージャ1305は、図10〜図12を参照して説明した基地局補助アップリンクマネージャの例であってよい。
【０１４１】
メモリ1310は、RAMおよびROMを含み得る。メモリ1310は、実行されると、本明細書で説明する様々な機能(たとえば、eCAのためのA-SRSトリガリングなど)をプロセッサに実施させる命令を含むコンピュータ可読コンピュータ実行可能ソフトウェアを記憶し得る。いくつかのケースでは、ソフトウェア1315は、プロセッサによって直接実行可能ではないことがあるが、(たとえば、コンパイルされ、実行されると)本明細書で説明する機能をコンピュータに実施させ得る。プロセッサ1320は、インテリジェントハードウェアデバイス(たとえば、CPU、マイクロコントローラ、ASICなど)を含み得る。
【０１４２】
上記で説明したように、トランシーバ1325は、1つまたは複数のアンテナまたはワイヤードもしくはワイヤレスリンクを介して、1つまたは複数のネットワークと双方向に通信し得る。たとえば、トランシーバ1325は、基地局105またはUE115と双方向に通信し得る。トランシーバ1325は、パケットを変調し、変調されたパケットを送信のためにアンテナに与え、アンテナから受信されたパケットを復調するためのモデムも含み得る。いくつかのケースでは、ワイヤレスデバイスは、単一のアンテナ1330を含み得る。ただし、いくつかのケースでは、デバイスは複数のアンテナ1330を有することができ、複数のアンテナ1330は、複数のワイヤレス送信を並行して送信または受信することが可能であり得る。
【０１４３】
基地局通信モジュール1335は、他の基地局105との通信を管理することができ、他の基地局105と協調してUE115との通信を制御するためのコントローラまたはスケジューラを含み得る。たとえば、基地局通信モジュール1335は、ビームフォーミングまたはジョイント送信などの様々な干渉緩和技法のためのUE115への送信のためのスケジューリングを協調させ得る。いくつかの例では、基地局通信モジュール1335は、基地局105の間で通信を行うために、LTE/LTE-Aワイヤレス通信ネットワーク技術内でX2インターフェースを提供してよい。
【０１４４】
ネットワーク通信モジュール1340は、(たとえば、1つまたは複数のワイヤードバックホールリンクを介して)コアネットワークとの通信を管理し得る。たとえば、ネットワーク通信モジュール1340は、1つまたは複数のUE115などのクライアントデバイスのためのデータ通信の転送を管理し得る。
【０１４５】
図14は、本開示の様々な態様による、eCAのためのA-SRSトリガリングのための方法1400を示すフローチャートを示す。方法1400の動作は、図1および図2を参照して説明したように、UE115などのデバイスまたはそのコンポーネントによって実装されてよい。たとえば、方法1400の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１４６】
ブロック1405において、UE115は、図2〜図5を参照して上述したように、CA構成および補助UL構成を示すシグナリングを受信することができ、CA構成は、ULおよびDLデータ送信用に構成された1つまたは複数のキャリアを備え、補助UL構成は、UL基準信号送信用に構成された1つまたは複数のキャリアを備える。いくつかの例では、ブロック1405の動作は、図7および図8を参照して説明したように、構成コンポーネントによって実施されてよい。
【０１４７】
ブロック1410において、UE115は、図2〜図5を参照して上述したように、CA構成のDLキャリア上でリソース割当てを受信し得る。いくつかの例では、ブロック1410の動作は、図7および図8を参照して説明したように、リソース割当てコンポーネントによって実施されてよい。
【０１４８】
ブロック1415において、UE115は、図2〜図5を参照して上述したように、受信されたリソース割当てに基づいて、補助UL構成の1つまたは複数のキャリアを使用してA-SRSを送信し得る。いくつかの例では、ブロック1415の動作は、図7および図8を参照して説明したように、A-SRSコンポーネントによって実施されてよい。
【０１４９】
図15は、本開示の様々な態様による、eCAのためのA-SRSトリガリングのための方法1500を示すフローチャートを示す。方法1500の動作は、図1および図2を参照して説明したように、UE115などのデバイスまたはそのコンポーネントによって実装されてよい。たとえば、方法1500の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１５０】
ブロック1505において、UE115は、図2〜図5を参照して上述したように、CA構成および補助UL構成を示すシグナリングを受信することができ、CA構成は、ULおよびDLデータ送信用に構成された1つまたは複数のキャリアを備え、補助UL構成は、UL基準信号送信用に構成された1つまたは複数のキャリアを備える。いくつかの例では、ブロック1505の動作は、図7および図8を参照して説明したように、構成コンポーネントによって実施されてよい。
【０１５１】
ブロック1510において、UE115は、図2〜図5を参照して上述したように、CA構成のDLキャリア上でリソース割当てを受信し得る。いくつかの例では、ブロック1510の動作は、図7および図8を参照して説明したように、リソース割当てコンポーネントによって実施されてよい。
【０１５２】
ブロック1515において、UE115は、図2〜図5を参照して上述したように、リソース割当て中でA-SRS要求フィールドを受信し得る。いくつかの例では、ブロック1515の動作は、図7および図8を参照して説明したように、A-SRS要求コンポーネントによって実施されてよい。
【０１５３】
ブロック1520において、UE115は、図2〜図5を参照して上述したように、A-SRS要求フィールドに基づいてA-SRSを送信すると決定し得る。いくつかの例では、ブロック1520の動作は、図7および図8を参照して説明したように、A-SRS要求コンポーネントによって実施されてよい。
【０１５４】
ブロック1525において、UE115は、図2〜図5を参照して上述したように、受信されたリソース割当てに基づいて、補助UL構成の1つまたは複数のキャリアを使用してA-SRSを送信し得る。いくつかの例では、ブロック1525の動作は、図7および図8を参照して説明したように、A-SRSコンポーネントによって実施されてよい。
【０１５５】
図16は、本開示の様々な態様による、eCAのためのA-SRSトリガリングのための方法1600を示すフローチャートを示す。方法1600の動作は、図1および図2を参照して説明したように、UE115などのデバイスまたはそのコンポーネントによって実装されてよい。たとえば、方法1600の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１５６】
ブロック1605において、UE115は、図2〜図5を参照して上述したように、CA構成および補助UL構成を示すシグナリングを受信することができ、CA構成は、ULおよびDLデータ送信用に構成された1つまたは複数のキャリアを備え、補助UL構成は、UL基準信号送信用に構成された1つまたは複数のキャリアを備える。いくつかの例では、ブロック1605の動作は、図7および図8を参照して説明したように、構成コンポーネントによって実施されてよい。
【０１５７】
ブロック1610において、UE115は、図2〜図5を参照して上述したように、CA構成のDLキャリア上でリソース割当てを受信し得る。いくつかの例では、ブロック1610の動作は、図7および図8を参照して説明したように、リソース割当てコンポーネントによって実施されてよい。
【０１５８】
ブロック1615において、UE115は、図2〜図5を参照して上述したように、リソース割当て中で、電力制御コマンドを受信し得る。いくつかの例では、ブロック1615の動作は、図7および図8を参照して説明したように、電力制御コンポーネントによって実施されてよい。
【０１５９】
ブロック1620において、UE115は、図2〜図5を参照して上述したように、電力制御コマンドに少なくとも基づいて送信電力を決定し得る。いくつかの例では、ブロック1620の動作は、図7および図8を参照して説明したように、電力制御コンポーネントによって実施されてよい。
【０１６０】
ブロック1625において、UE115は、図2〜図5を参照して上述したように、受信されたリソース割当てに基づいて、補助UL構成の1つまたは複数のキャリアを使用してA-SRSを送信し得る。いくつかのケースでは、UE115は、送信電力に基づいてA-SRSを送信してよい。いくつかの例では、ブロック1625の動作は、図7および図8を参照して説明したように、A-SRSコンポーネントによって実施されてよい。
【０１６１】
図17は、本開示の様々な態様による、eCAのためのA-SRSトリガリングのための方法1700を示すフローチャートを示す。方法1700の動作は、図1および図2を参照して説明したように、UE115などのデバイスまたはそのコンポーネントによって実装されてよい。たとえば、方法1700の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１６２】
ブロック1705において、UE115は、図2〜図5を参照して上述したように、CA構成および補助UL構成を示すシグナリングを受信することができ、CA構成は、ULおよびDLデータ送信用に構成された1つまたは複数のキャリアを備え、補助UL構成は、UL基準信号送信用に構成された1つまたは複数のキャリアを備える。いくつかの例では、ブロック1705の動作は、図7および図8を参照して説明したように、構成コンポーネントによって実施されてよい。
【０１６３】
ブロック1710において、UE115は、図2〜図5を参照して上述したように、CA構成のDLキャリア上でリソース割当てを受信し得る。いくつかの例では、ブロック1710の動作は、図7および図8を参照して説明したように、リソース割当てコンポーネントによって実施されてよい。
【０１６４】
ブロック1715において、UE115は、図2〜図5を参照して上述したように、受信されたリソース割当てに基づいて、リソース割当て中で、キャリアのセットに対するA-SRSのセットに関連付けられたULグラントを受信し得る。いくつかの例では、ブロック1715の動作は、図7および図8を参照して説明したように、リソース割当てコンポーネントによって実施されてよい。
【０１６５】
ブロック1720において、UE115は、図2〜図5を参照して上述したように、UE用に、UEに関連付けられたA-SRSのセットのうちのA-SRSを送信するのに使われるべき、補助UL構成の1つまたは複数のキャリアを識別し得る。いくつかの例では、ブロック1720の動作は、図7および図8を参照して説明したように、キャリア識別コンポーネントによって実施されてよい。
【０１６６】
ブロック1725において、UE115は、図2〜図5を参照して上述したように、受信されたリソース割当てに基づいて、補助UL構成の1つまたは複数のキャリアを使用してA-SRSを送信し得る。いくつかの例では、ブロック1725の動作は、図7および図8を参照して説明したように、A-SRSコンポーネントによって実施されてよい。
【０１６７】
図18は、本開示の様々な態様による、eCAのためのA-SRSトリガリングのための方法1800を示すフローチャートを示す。方法1800の動作は、図1および図2を参照して説明したように、UE115などのデバイスまたはそのコンポーネントによって実装されてよい。たとえば、方法1800の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１６８】
ブロック1805において、UE115は、図2〜図5を参照して上述したように、CA構成および補助UL構成を示すシグナリングを受信することができ、CA構成は、ULおよびDLデータ送信用に構成された1つまたは複数のキャリアを備え、補助UL構成は、UL基準信号送信用に構成された1つまたは複数のキャリアを備える。いくつかの例では、ブロック1805の動作は、図7および図8を参照して説明したように、構成コンポーネントによって実施されてよい。
【０１６９】
ブロック1810において、UE115は、図2〜図5を参照して上述したように、CA構成のDLキャリア上でリソース割当てを受信し得る。いくつかの例では、ブロック1810の動作は、図7および図8を参照して説明したように、リソース割当てコンポーネントによって実施されてよい。
【０１７０】
ブロック1815において、UE115は、図2〜図5を参照して上述したように、CA構成および補助UL構成をもつUEを構成するためのRRCメッセージを受信することができ、RRCメッセージは、UEのセット用のA-SRS構成を含む。いくつかの例では、ブロック1815の動作は、図7および図8を参照して説明したように、構成コンポーネントによって実施されてよい。
【０１７１】
ブロック1820において、UE115は、図2〜図5を参照して上述したように、受信されたリソース割当てに基づいて、補助UL構成の1つまたは複数のキャリアを使用してA-SRSを送信し得る。いくつかの例では、ブロック1820の動作は、図7および図8を参照して説明したように、A-SRSコンポーネントによって実施されてよい。
【０１７２】
図19は、本開示の様々な態様による、eCAのためのA-SRSトリガリングのための方法1900を示すフローチャートを示す。方法1900の動作は、図1および図2を参照して説明したように、基地局105などのデバイスまたはそのコンポーネントによって実装されてよい。たとえば、方法1900の動作は、本明細書で説明するように、基地局補助アップリンクマネージャによって実施され得る。いくつかの例では、基地局105は、以下で説明する機能を実施するようにデバイスの機能要素を制御するためのコードのセットを実行してよい。追加または代替として、基地局105は、以下で説明する機能の態様を、専用ハードウェアを使用して実行してよい。
【０１７３】
ブロック1905において、基地局105は、図2〜図5を参照して上述したように、UE用のCA構成および補助UL構成を示すシグナリングを送信することができ、CA構成は、ULおよびDLデータ送信用に構成された1つまたは複数のキャリアを備え、補助UL構成は、UL基準信号送信用に構成された1つまたは複数のキャリアを備える。いくつかの例では、ブロック1905の動作は、図11および図12を参照して説明したように、構成コンポーネントによって実施されてよい。
【０１７４】
ブロック1910において、基地局105は、図2〜図5を参照して上述したように、CA構成の1つまたは複数のキャリアのうちのDLキャリア上でリソース割当てを送信し得る。いくつかの例では、ブロック1910の動作は、図11および図12を参照して説明したように、リソース割当てコンポーネントによって実施されてよい。
【０１７５】
ブロック1915において、基地局105は、図2〜図5を参照して上述したように、送信されたリソース割当てに応答して、補助UL構成の1つまたは複数のキャリアを使用してA-SRSを受信し得る。いくつかの例では、ブロック1915の動作は、図11および図12を参照して説明したように、A-SRSコンポーネントによって実施されてよい。
【０１７６】
図20は、本開示の様々な態様による、eCAのためのA-SRSトリガリングのための方法2000を示すフローチャートを示す。方法2000の動作は、図1および図2を参照して説明したように、UE115などのデバイスまたはそのコンポーネントによって実装されてよい。たとえば、方法2000の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１７７】
ブロック2005において、UE115は、図2〜図5を参照して上述したように、UE115のCA構成およびA-SRS構成を識別し得る。A-SRS構成は、UEがULデータ送信をその上では実施しない1つまたは複数のコンポーネントキャリア(CC)を備え得る。いくつかの例では、ブロック2005の動作は、UE補助アップリンクマネージャによって実施されてよい。
【０１７８】
ブロック2010において、UE115は、図2〜図5を参照して上述したように、CA構成におけるDL CC上でリソース割当てを受信し得る。いくつかの例では、ブロック2010の動作は、図7および図8を参照して説明したように、リソース割当てコンポーネントによって実施されてよい。
【０１７９】
ブロック2015において、UE115は、図2〜図5を参照して上述したように、リソース割当てのDCIフォーマットに基づいて、A-SRSを送信するためのトリガを検出し得る。いくつかの例では、ブロック2015の動作は、図7および図8を参照して説明したように、A-SRSトリガコンポーネントによって実施されてよい。
【０１８０】
ブロック2020において、UE115は、図2〜図5を参照して上述したように、リソース割当てのDCIフォーマットに基づいて、A-SRS送信を送信するためのA-SRS構成のCCを決定し得る。いくつかの例では、ブロック2020の動作は、図7および図8を参照して説明したように、リソース割当てコンポーネントによって実施されてよい。
【０１８１】
ブロック2025において、UE115は、図2〜図5を参照して上述したように、決定されたCC上でA-SRSを送信し得る。いくつかの例では、ブロック2025の動作は、図7および図8を参照して説明したように、A-SRSコンポーネントによって実施されてよい。
【０１８２】
図21は、本開示の様々な態様による、eCAのためのA-SRSトリガリングのための方法2100を示すフローチャートを示す。方法2100の動作は、図1および図2を参照して説明したように、UE115などのデバイスまたはそのコンポーネントによって実装されてよい。たとえば、方法2100の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１８３】
ブロック2105において、図2〜図5を参照して上述したように、UE115はA-SRS構成を受信することができ、A-SRS構成は、A-SRSを送信するのに専用の1つまたは複数のULキャリアを識別する。いくつかの例では、ブロック2105の動作は、図7および図8を参照して説明したように、構成コンポーネントによって実施されてよい。
【０１８４】
ブロック2110において、UE115は、図2〜図5を参照して上述したように、CA構成におけるDLキャリア上でリソース割当てを受信し得る。いくつかの例では、ブロック2110の動作は、図7および図8を参照して説明したように、リソース割当てコンポーネントによって実施されてよい。
【０１８５】
ブロック2115において、UE115は、図2〜図5を参照して上述したように、リソース割当てに基づいて、A-SRSを送信するためのトリガを検出し得る。いくつかの例では、ブロック2115の動作は、図7および図8を参照して説明したように、A-SRSトリガコンポーネントによって実施されてよい。
【０１８６】
ブロック2120において、UE115は、図2〜図5を参照して上述したように、A-SRSを送信するためのA-SRS構成のULリソースを決定し得る。いくつかの例では、ブロック2120の動作は、図7および図8を参照して説明したように、リソース割当てコンポーネントによって実施されてよい。
【０１８７】
ブロック2125において、UE115は、図2〜図5を参照して上述したように、決定されたULリソース上でA-SRSを送信し得る。いくつかの例では、ブロック2125の動作は、図7および図8を参照して説明したように、A-SRSコンポーネントによって実施されてよい。
【０１８８】
図22は、本開示の様々な態様による、eCAのためのA-SRSトリガリングのための方法2200を示すフローチャートを示す。方法2200の動作は、図1および図2を参照して説明したように、UE115などのデバイスまたはそのコンポーネントによって実装されてよい。たとえば、方法2200の動作は、本明細書で説明するように、UE補助アップリンクマネージャによって実施され得る。いくつかの例では、UE115は、以下で説明する機能を実施するようにデバイスの機能要素を制御するためのコードのセットを実行してよい。追加または代替として、UE115は、専用ハードウェアを使用して、以下で説明する機能の態様を実施し得る。
【０１８９】
ブロック2205において、UE115は、図2〜図5を参照して上述したように、CA構成およびA-SRS構成をもつUEを構成するためのRRCメッセージを受信することができ、RRCメッセージは、UEのセット用のA-SRS構成を含む。いくつかの例では、ブロック2205の動作は、図7および図8を参照して説明したように、構成コンポーネントによって実施されてよい。
【０１９０】
ブロック2210において、UE115は、図2〜図5を参照して上述したように、CA構成におけるDLキャリア上でリソース割当てを受信し得る。いくつかの例では、ブロック2210の動作は、図7および図8を参照して説明したように、リソース割当てコンポーネントによって実施されてよい。
【０１９１】
ブロック2215において、UE115は、図2〜図5を参照して上述したように、リソース割当てに基づいて、A-SRSを送信するためのトリガを検出し得る。いくつかの例では、ブロック2215の動作は、図7および図8を参照して説明したように、A-SRSトリガコンポーネントによって実施されてよい。
【０１９２】
ブロック2220において、UE115は、図2〜図5を参照して上述したように、A-SRSを送信するためのA-SRS構成のULリソースを決定し得る。いくつかの例では、ブロック2220の動作は、図7および図8を参照して説明したように、リソース割当てコンポーネントによって実施されてよい。
【０１９３】
ブロック2225において、UE115は、図2〜図5を参照して上述したように、決定されたULリソース上でA-SRSを送信し得る。いくつかの例では、ブロック2225の動作は、図7および図8を参照して説明したように、A-SRSコンポーネントによって実施されてよい。
【０１９４】
これらの方法は、可能な実装形態について説明しており、動作およびステップは、他の実装形態が可能であるように並べ替えられるか、または別の方法で修正される場合があることに留意されたい。いくつかの例では、方法のうちの2つ以上からの態様が組み合わせられてよい。たとえば、方法の各々の態様は、その他の方法のステップもしくは態様、または本明細書で説明する他のステップもしくは技法を含み得る。このようにして、本開示の態様は、eCAのためのA-SRSトリガリングを可能にし得る。
【０１９５】
本明細書における説明は、当業者が本開示を作成または使用することを可能にするために与えられる。本開示に対する様々な修正は、当業者に容易に明らかになり、本明細書で定義する一般原理は、本開示の範囲を逸脱することなく他の変形形態に適用され得る。したがって、本開示は、本明細書で説明する例および設計に限定されるべきではなく、本明細書で開示する原理および新規の特徴と一致する最も広い範囲を与えられるべきである。
【０１９６】
本明細書で説明した機能は、ハードウェア、プロセッサによって実行されるソフトウェア、ファームウェア、またはそれらの組合せで実装され得る。プロセッサによって実行されるソフトウェアにおいて実装される場合、機能は、1つまたは複数の命令またはコードとしてコンピュータ可読媒体上に記憶され得るか、またはコンピュータ可読媒体を介して送信され得る。他の例および実装形態は、本開示の範囲および添付の特許請求の範囲内にある。たとえば、ソフトウェアの性質により、上記で説明した機能は、プロセッサによって実行されるソフトウェア、ハードウェア、ファームウェア、ハードワイヤリング、またはそれらのいずれかの組合せを使用して実装され得る。機能を実装する特徴はまた、異なる(物理)ロケーションにおいて機能の部分が実装されるように分散されることを含めて、様々な位置に物理的に配置されてよい。また、特許請求の範囲内を含めて、本明細書で使用する場合、項目のリスト(たとえば、「のうちの少なくとも1つ」または「1つまたは複数の」などの句で始まるまたは終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。
【０１９７】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を担持もしくは記憶するために使用することができ、汎用コンピュータもしくは専用コンピュータまたは汎用プロセッサもしくは専用プロセッサによってアクセスすることができる任意の他の非一時的媒体を含むことができる。さらに、任意の接続をコンピュータ可読媒体と呼ぶことは適正である。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は通常、データを磁気的に再生し、ディスク(disc)はレーザーを用いてデータを光学的に再生する。上記の組合せも、コンピュータ可読媒体の範囲内に含まれる。
【０１９８】
本明細書で説明した技法は、CDMA、TDMA、FDMA、OFDMA、シングルキャリア周波数分割多元接続(SC-FDMA)、および他のシステムなどの、様々なワイヤレス通信システムのために使用されてよい。「システム」および「ネットワーク」という用語は、しばしば、互換的に使用される。CDMAシステムは、CDMA2000、ユニバーサル地上波無線アクセス(UTRA)などの無線技術を実装し得る。CDMA2000は、IS-2000、IS-95、およびIS-856規格をカバーする。IS-2000リリース0およびAは一般に、CDMA2000 1X、1Xなどと呼ばれる。IS-856(TIA-856)は、一般にCDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))のような無線技術を実装し得る。OFDMAシステムは、ウルトラモバイルブロードバンド(UMB)、発展型UTRA(E-UTRA)、IEEE802.11、IEEE802.16(WiMAX)、IEEE802.20、Flash-OFDMなどの無線技術を実装してもよい。UTRAおよびE-UTRAは、ユニバーサル移動電気通信システム(ユニバーサル移動電気通信システム(UMTS))の一部である。3GPP LTEおよびLTE-advanced(LTE-A)は、E-UTRAを使用するUMTSの新たなリリースである。UTRA、E-UTRA、UMTS、LTE、LTE-a、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書に記載された技法は、上述されたシステムおよび無線技術ならびに他のシステムおよび無線技術に使用される場合がある。ただし、本明細書での説明は、例としてLTEシステムについて説明し、上記の説明の大部分においてLTE用語が使用されるが、本技法はLTE適用例以外に適用可能である。
【０１９９】
本明細書で説明するネットワークを含むLTE/LTE-Aネットワークでは、発展型ノードB(eNB)という用語は、概して、基地局を表すために使用され得る。本明細書で説明する単一または複数のワイヤレス通信システムは、異なるタイプのeNBが様々な地理的領域にカバレージを提供する、異種LTE/LTE-Aネットワークを含み得る。たとえば、各eNBまたは基地局は、マクロセル、スモールセル、または他のタイプのセルに通信カバレージを提供し得る。「セル」という用語は、文脈に応じて、基地局、基地局に関連するキャリアもしくはコンポーネントキャリア(CC)、またはキャリアもしくは基地局のカバレージエリア(たとえば、セクタなど)を表すために使用できる3GPP用語である。
【０２００】
基地局は、基地トランシーバ局、無線基地局、アクセスポイント(AP)、無線トランシーバ、ノードB、eノードB(eNB)、ホームノードB、ホームeノードB、もしくは何らかの他の適切な用語を含む場合があるか、またはそのように当業者によって呼ばれる場合がある。基地局のための地理的カバレージエリアは、カバレージエリアの一部分のみを構成するセクタに分割され得る。本明細書で説明した1つまたは複数のワイヤレス通信システムは、異なるタイプの基地局(たとえば、マクロセル基地局またはスモールセル基地局)を含み得る。本明細書で説明したUEは、マクロeNB、スモールセルeNB、中継基地局などを含む、様々なタイプの基地局およびネットワーク機器と通信することが可能な場合がある。異なる技術のためのオーバーラップする地理的カバレージエリアがあってよい。いくつかのケースでは、異なるカバレージエリアが、異なる通信技術に関連してよい。いくつかのケースでは、ある通信技術のためのカバレージエリアが、別の技術に関連するカバレージエリアとオーバーラップしてよい。異なる技術が、同じ基地局または異なる基地局に関連してよい。
【０２０１】
マクロセルは、一般に、比較的大きい地理的エリア(たとえば、半径数キロメートル)をカバーし、ネットワークプロバイダのサービスに加入しているUEによる無制限アクセスを可能にすることができる。スモールセルは、マクロセルと比較すると、マクロセルと同じまたはマクロセルとは異なる(たとえば、認可、無認可などの)周波数帯域で動作し得る低電力基地局である。スモールセルは、様々な例に従って、ピコセル、フェムトセル、およびマイクロセルを含むことができる。ピコセルは、たとえば、小さい地理的エリアをカバーし得、ネットワークプロバイダのサービスに加入しているUEによる無制限アクセスを可能にし得る。フェムトセルも、小さい地理的エリア(たとえば、自宅)をカバーし得、フェムトセルとの関連を有するUE(たとえば、限定加入者グループ(CSG)内のUE、自宅内のユーザのためのUEなど)による制限付きアクセスを提供し得る。マクロセル用のeNBは、マクロeNBと呼ばれる場合がある。スモールセル用のeNBは、スモールセルeNB、ピコeNB、フェムトeNB、またはホームeNBと呼ばれる場合がある。eNBは、1つまたは複数の(たとえば、2つ、3つ、4つなどの)セル(たとえば、コンポーネントキャリア(CC))をサポートしてよい。UEは、マクロeNB、スモールセルeNB、リレー基地局などを含む、様々なタイプの基地局およびネットワーク機器と通信することが可能であり得る。
【０２０２】
本明細書で説明する単一または複数のワイヤレス通信システムは、同期動作または非同期動作をサポートし得る。同期動作の場合、基地局は、同様のフレームタイミングを有することができ、異なる基地局からの送信は、近似的に時間的に整合され得る。非同期動作の場合、各基地局は異なるフレームタイミングを有することがあり、それぞれに異なる基地局からの送信は時間的に整合されないことがある。本明細書において説明する技法は、同期動作または非同期動作のいずれに使用されてもよい。
【０２０３】
本明細書で説明したDL送信は、順方向リンク送信と呼ばれることもあり、UL送信は、逆方向リンク送信と呼ばれることもある。たとえば、図1および図2のワイヤレス通信システム100および200を含む、本明細書で説明する各通信リンクは、1つまたは複数のキャリアを含み得、各キャリアは、複数のサブキャリア(たとえば、異なる周波数の波形信号)から構成される信号であり得る。各被変調信号は、異なるサブキャリア上で送られ得、制御情報(たとえば、基準信号、制御チャネルなど)、オーバーヘッド情報、ユーザデータなどを搬送し得る。本明細書で説明する通信リンク(たとえば、図1の通信リンク125)は、(たとえば、対スペクトルリソースを使用する)周波数分割複信(FDD)動作、または(たとえば、不対スペクトルリソースを使用する)時分割複信(TDD)動作を使用して、双方向通信を送信し得る。FDD(たとえば、フレーム構造タイプ1)およびTDD(たとえば、フレーム構造タイプ2)に対するフレーム構造が定義され得る。
【０２０４】
このようにして、本開示の態様は、eCAのためのA-SRSトリガリングを可能にし得る。これらの方法が、可能な実装形態を説明すること、ならびに動作およびステップは他の実装形態が可能であるように並べ替えられてよく、または別の方法で変更されてよいことに留意されたい。いくつかの例では、方法のうちの2つ以上からの態様が組み合わせられてよい。
【０２０５】
本明細書の本開示に関して説明する様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェアコンポーネント、または本明細書で説明する機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。したがって、本明細書で説明した機能は、1つまたは複数の他の処理ユニット(または、コア)によって、少なくとも1つの集積回路(IC)上で実施されてよい。様々な例では、当技術分野で知られている任意の方法でプログラムされる場合がある様々なタイプのIC(たとえば、構造化/プラットフォームASIC、FPGA、または別のセミカスタムIC)が使われ得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【０２０６】
添付の図面において、類似のコンポーネントまたは特徴は、同じ参照符号を有する場合がある。さらに、同じタイプの様々なコンポーネントは、参照ラベルの後に、ダッシュと、同様のコンポーネントを区別する第2のラベルとを続けることによって区別される場合がある。第1の参照ラベルのみが本明細書で使用される場合、説明は、第2の参照ラベルにかかわらず、同じ第1の参照ラベルを有する同様のコンポーネントのうちのいずれにも適用可能である。
【符号の説明】
【０２０７】
100  ワイヤレス通信システム
105  基地局、eノードB(eNB)、サービング基地局
110  地理的カバレージエリア
115  UE、ユーザ機器
125  通信リンク
130  コアネットワーク
132  バックホールリンク
134  バックホールリンク
200  ワイヤレス通信システム
205  DL CC
210  UL CC、CA UL CC
215  補助UL CC、UL CC
300  CC構成
305  DL CC
310  UL CC
315  周波数リソース
320  周波数リソース
325  周波数リソース
330  周波数リソース
600  ワイヤレスデバイス
605  受信機
610  UE補助アップリンクマネージャ
615  送信機
700  ワイヤレスデバイス
705  受信機
710  UE補助アップリンクマネージャ
715  構成コンポーネント
720  リソース割当てコンポーネント
725  A-SRSコンポーネント
730  A-SRSトリガコンポーネント
735  送信機
800  UE補助アップリンクマネージャ
805  構成コンポーネント
810  A-SRSコンポーネント
815  監視コンポーネント
820  キャリア識別コンポーネント
825  リソース割当てコンポーネント
830  同時送信コンポーネント
835  A-SRSトリガコンポーネント
840  A-SRS要求コンポーネント
845  電力制御コンポーネント
900  システム
905  UE補助アップリンクマネージャ
910  メモリ
915  ソフトウェア
920  プロセッサ
925  トランシーバ
930  アンテナ
935  ECCモジュール
1000  ワイヤレスデバイス
1005  受信機
1010  基地局補助アップリンクマネージャ
1015  送信機
1100  ワイヤレスデバイス
1105  受信機
1110  基地局補助アップリンクマネージャ
1115  リソース割当てコンポーネント
1120  A-SRSコンポーネント
1125  構成コンポーネント
1130  送信機
1200  基地局補助アップリンクマネージャ
1205  リソース割当てコンポーネント
1210  A-SRSコンポーネント
1215  A-SRS要求コンポーネント
1220  構成コンポーネント
1225  ULグラントコンポーネント
1300  ワイヤレスシステム
1305  基地局補助アップリンクマネージャ
1310  メモリ
1315  ソフトウェア
1320  プロセッサ
1325  トランシーバ
1330  アンテナ
1335  基地局通信モジュール
1340  ネットワーク通信モジュール
【図１】
2019516278.tif 000003
【図２】
2019516278.tif 000004
【図３】
2019516278.tif 000005
【図４】
2019516278.tif 000006
【図５】
2019516278.tif 000007
【図６】
2019516278.tif 000008
【図７】
2019516278.tif 000009
【図８】
2019516278.tif 000010
【図９】
2019516278.tif 000011
【図１０】
2019516278.tif 000012
【図１１】
2019516278.tif 000013
【図１２】
2019516278.tif 000014
【図１３】
2019516278.tif 000015
【図１４】
2019516278.tif 000016
【図１５】
2019516278.tif 000017
【図１６】
2019516278.tif 000018
【図１７】
2019516278.tif 000019
【図１８】
2019516278.tif 000020
【図１９】
2019516278.tif 000021
【図２０】
2019516278.tif 000022
【図２１】
2019516278.tif 000023
【図２２】
2019516278.tif 000024
【国際調査報告】
2019516278.tif 000025
2019516278.tif 000026
2019516278.tif 000027